(57)【要約】  通信技術分野に関し、単一無線周波数ハンドオーバモードのマルチモードユーザ機器が、第1のアクセスネットワークから第2のアクセスネットワークへの切換え後に、前記元の第1のアクセスネットワークに迅速に切り換えることを可能にするハンドオーバ方法およびハンドオーバ装置が開示される。開示された方法は、ユーザ機器が第1のアクセスネットワークから第2のアクセスネットワークに切り換わる前に、第1のアクセスネットワークのサービスサイトから第1のアクセスネットワークのスイッチサーバに接続点を切り換えるステップと、第2のアクセスネットワークへのネットワークアクセスを完了した後、トンネルを介して第1のアクセスネットワークのスイッチサーバと対話し、前記第1のアクセスネットワークのアイドルモードに入るステップと、第1のアクセスネットワークに切り換え戻すとき、アイドルモードを終了し、第1のアクセスネットワークに再アクセスするために、第1のアクセスネットワークのターゲットサイトに接続するステップとを含む。
2013503522.tif 000002
【特許請求の範囲】
【請求項１】
ユーザ機器が第1のアクセスネットワークから第2のアクセスネットワークにハンドオーバするとき、前記第1のアクセスネットワークのハンドオーバサーバのアドレスを取得するステップと、
前記第1のアクセスネットワークのサービス局から前記第1のアクセスネットワークの前記ハンドオーバサーバに前記ユーザ機器の接続点をハンドオーバするステップと、
前記ユーザ機器によって、前記第2のアクセスネットワーク内のネットワークアクセスを完了した後、前記第1のアクセスネットワークの前記ハンドオーバサーバとトンネルを確立し、前記トンネルを介して前記第1のアクセスネットワークの前記ハンドオーバサーバと対話し、前記第1のアクセスネットワークの前記ハンドオーバサーバへの接続を実施し、前記第1のアクセスネットワークのアイドルモードに入るステップと、
前記ユーザ機器によって、前記第2のアクセスネットワークから前記第1のアクセスネットワークにハンドオーバし戻すとき、前記アイドルモードを終了し、前記第1のアクセスネットワークに再アクセスするために、前記第1のアクセスネットワークの宛先局への接続を実施するステップと
を備えるハンドオーバ方法。
【請求項２】
前記第1のアクセスネットワークの前記ハンドオーバサーバの前記アドレスを取得する前記ステップが、
前記ユーザ機器によって前記第1のアクセスネットワークの前記ハンドオーバサーバの前記アドレスを、動的ホスト構成プロトコル(DHCP)によって、ドメイン名システム(DNS)の解決によって、前記ネットワークに最初にアクセスするときのインターネットプロトコル(IP)アドレスの要求中に、または専用の情報サーバに問い合わせることによって取得するステップを備える、請求項1に記載のハンドオーバ方法。
【請求項３】
前記第1のアクセスネットワークがマイクロ波アクセス世界的相互運用(WiMAX)アクセスネットワークである場合は、前記第1のアクセスネットワークのサービス局から前記第1のアクセスネットワークの前記ハンドオーバサーバに前記ユーザ機器の前記接続点をハンドオーバする前記ステップが、
前記第1のアクセスネットワークの前記サービス局が前記第1のアクセスネットワークの前記ハンドオーバサーバとハンドオーバ関連の情報を交換するように、前記ユーザ機器によって、前記第1のアクセスネットワークの前記サービス局にハンドオーバ要求メッセージを送るステップと、
前記ユーザ機器によって、前記第1のアクセスネットワークの前記サービス局を介して、前記第1のアクセスネットワークの前記サービス局によって返されたハンドオーバ要求メッセージを受け取るステップと、
前記第1のアクセスネットワークの前記サービス局が前記第1のアクセスネットワークの前記ハンドオーバサーバにハンドオーバ確認メッセージを送るように、前記ユーザ機器によって、前記ハンドオーバ応答メッセージに従って前記第1のアクセスネットワークの前記サービス局にハンドオーバ表示メッセージを送るステップとを備える、請求項1に記載のハンドオーバ方法。
【請求項４】
前記ユーザ機器によって、前記第1のアクセスネットワークの前記ハンドオーバサーバと前記トンネルを確立し、前記トンネルを介して前記第1のアクセスネットワークの前記ハンドオーバサーバと対話し、前記第1のアクセスネットワークの前記ハンドオーバサーバへの接続を実施し、前記第1のアクセスネットワークの前記アイドルモードに入る前記ステップの後、
前記ユーザ機器によって、前記アイドルモードを保持するために前記トンネルを介して前記第1のアクセスネットワークの前記ハンドオーバサーバにメッセージを定期的に送るステップをさらに備える、請求項1に記載のハンドオーバ方法。
【請求項５】
前記第1のアクセスネットワークがWiMAXアクセスネットワークであり、前記ユーザ機器が前記第2のアクセスネットワークから前記第1のアクセスネットワークにハンドオーバし戻すとき、前記ユーザ機器によって、前記アイドルモードを終了し、前記第1のアクセスネットワークに再アクセスするために前記第1のアクセスネットワークの前記宛先局への接続を実施する前記ステップが、
前記ユーザ機器によって、前記第1のアクセスネットワークの前記宛先局を選択するステップと、前記ユーザ機器と前記第1のアクセスネットワークの前記ハンドオーバサーバの間の前記トンネルを切断するステップと、前記第2のアクセスネットワークの無線周波数をオフにし、前記第1のアクセスネットワークの無線周波数をオンにするステップと、前記アイドルモードを終了するために、前記第1のアクセスネットワークの前記宛先局でレンジングプロセスを実施するステップとを備える、請求項1に記載のハンドオーバ方法。
【請求項６】
ユーザ機器によって、第1のアクセスネットワークのハンドオーバサーバのIPアドレスを取得するステップと、
第2のアクセスネットワークにハンドオーバした後、前記ユーザ機器によって、前記第1のアクセスネットワークの前記ハンドオーバサーバとIPトンネルを確立し、前記トンネルを介して前記第1のアクセスネットワークの前記ハンドオーバサーバと対話し、前記第1のアクセスネットワーク内で、前記ユーザ機器のサービス局から前記ハンドオーバサーバへのハンドオーバを実施するステップと、
前記ユーザ機器によって、前記トンネルを介して前記ハンドオーバサーバから前記第1のアクセスネットワークのアイドルモードに入るステップと、
前記ユーザ機器によって、前記第2のアクセスネットワークから前記第1のアクセスネットワークにハンドオーバし戻すとき、前記アイドルモードを終了し、前記第1のアクセスネットワークに再アクセスするために前記第1のアクセスネットワークの宛先局への接続を実施するステップと
を備えるハンドオーバ方法。
【請求項７】
前記第1のアクセスネットワークの前記ハンドオーバサーバの前記IPアドレスを取得する前記ステップが、
前記ユーザ機器が前記第1のアクセスネットワークから前記第2のアクセスネットワークにハンドオーバする前に、前記第1のアクセスネットワークの前記ハンドオーバサーバの前記IPアドレスを取得するステップと、
前記ユーザ機器が前記第1のアクセスネットワークから前記第2のアクセスネットワークにハンドオーバした後、前記第1のアクセスネットワークの前記ハンドオーバサーバの前記IPアドレスを取得するステップとを備える、請求項6に記載のハンドオーバ方法。
【請求項８】
前記第1のアクセスネットワークがWiMAXアクセスネットワークである場合、前記トンネルを介して前記第1のアクセスネットワークの前記ハンドオーバサーバと対話し、前記第1のアクセスネットワーク内で、前記ユーザ機器の前記サービス局から前記ハンドオーバサーバへの前記ハンドオーバを実施する前記ステップが、
前記ユーザ機器によって、前記トンネルを介して前記第1のアクセスネットワークの前記ハンドオーバサーバにレンジング要求メッセージを送るステップであって、前記レンジング要求メッセージが、前記ユーザ機器の前記サービス局の識別情報を備える、ステップと、
前記第1のアクセスネットワークの前記ハンドオーバサーバによって、前記レンジング要求を受け取った後、少なくとも前記ユーザ機器の前記サービス局から前記ユーザ機器のコンテキスト情報を取得し、前記ユーザ機器のデータ経路を確立するステップと、
前記第1のアクセスネットワークの前記ハンドオーバサーバによって、レンジング応答メッセージを前記ユーザ機器に送るステップと、
前記第1のアクセスネットワークの前記ハンドオーバサーバによって、前記ユーザ機器の前記サービス局と対話して、前記ハンドオーバの完了を確認するステップとを備える、請求項6に記載のハンドオーバ方法。
【請求項９】
前記ユーザ機器によって、前記トンネルを介して前記ハンドオーバサーバから前記第1のアクセスネットワークの前記アイドルモードに入る前記ステップの後、
前記ユーザ機器によって、前記アイドルモードを保持するために前記トンネルを介して前記第1のアクセスネットワークの前記ハンドオーバサーバにメッセージを定期的に送るステップをさらに備える、請求項6に記載のハンドオーバ方法。
【請求項１０】
前記第1のアクセスネットワークがマイクロ波アクセス世界的相互運用(WiMAX)アクセスネットワークである場合、および前記ユーザ機器が前記第2のアクセスネットワークから前記第1のアクセスネットワークにハンドオーバし戻す場合、前記ユーザ機器によって、前記アイドルモードを終了し、前記第1のアクセスネットワークに再アクセスするために、前記第1のアクセスネットワークの前記宛先局への接続を実施する前記ステップが、
前記ユーザ機器によって、前記第1のアクセスネットワークの前記宛先局を選択するステップと、前記ユーザ機器と前記第1のアクセスネットワークの前記ハンドオーバサーバの間の前記トンネルを切断するステップと、前記第2のアクセスネットワークの無線周波数をオフにし、前記第1のアクセスネットワークの無線周波数をオンにするステップと、前記アイドルモードを終了するために、前記第1のアクセスネットワークの前記宛先局でレンジングプロセスを実施するステップとを備える、請求項6に記載のハンドオーバ方法。
【請求項１１】
ユーザ機器が第1のアクセスネットワークから第2のアクセスネットワークにハンドオーバするとき、前記第1のアクセスネットワークのハンドオーバサーバのアドレスを取得するように構成されたハンドオーバサーバ取得ユニットと、
前記第1のアクセスネットワークのサービス局から前記第1のアクセスネットワークの前記ハンドオーバサーバに前記ユーザ機器の接続点をハンドオーバするように構成された接続点ハンドオーバユニットと、
前記ユーザ機器が第2のアクセスポイントでネットワークアクセスを完了した後、前記第1のアクセスネットワークの前記ハンドオーバサーバとトンネルを確立し、前記トンネルを介して前記第1のアクセスネットワークの前記ハンドオーバサーバと対話し、前記第1のアクセスネットワークの前記ハンドオーバサーバへの接続を実施し、前記第1のアクセスネットワークのアイドルモードに入るように構成されたハンドオーババック準備ユニットと、
前記ユーザ機器が前記第2のアクセスネットワークから前記第1のアクセスネットワークにハンドオーバし戻すとき、前記アイドルモードを終了し、前記第1のアクセスネットワークに再アクセスするために前記第1のアクセスネットワークの宛先局への接続を実施するように構成されたハンドオーババックユニットと
を備えるハンドオーバデバイス。
【請求項１２】
前記第1のアクセスネットワークがマイクロ波アクセス世界的相互運用(WiMAX)アクセスネットワークであり、前記接続点ハンドオーバユニットが、前記第1のアクセスネットワークの前記サービス局が前記第1のアクセスネットワークの前記ハンドオーバサーバとハンドオーバ関連情報を交換するように前記ユーザ機器が前記第1のアクセスネットワークの前記サービス局にハンドオーバ要求メッセージを送り、前記第1のアクセスネットワークの前記サービス局を介して、前記第1のアクセスネットワークの前記サービス局によって返されたハンドオーバ要求メッセージを受け取り、前記第1のアクセスネットワークの前記サービス局が前記第1のアクセスネットワークの前記ハンドオーバサーバにハンドオーバ確認メッセージを送るように前記ハンドオーバ応答メッセージに従って前記第1のアクセスネットワークの前記サービス局にハンドオーバ表示メッセージを送ることを可能にするように特に構成される、請求項11に記載のハンドオーバデバイス。
【請求項１３】
前記ハンドオーババック準備ユニットが、前記アイドルモードを保持するために第1のアクセスネットワークのハンドオーバサーバと確立された前記トンネルを介して前記ユーザ機器が前記第1のアクセスネットワークの前記ハンドオーバサーバに定期的にメッセージを送ることを可能にするようにさらに構成される、請求項11に記載のハンドオーバデバイス。
【請求項１４】
前記ハンドオーババックユニットが、前記ユーザ機器が前記第1のアクセスネットワークの前記宛先局を選択し、前記ユーザ機器と前記第1のアクセスネットワークの前記ハンドオーバサーバの間の前記トンネルを切断し、前記第2のアクセスネットワークの無線周波数をオフにし、前記第1のアクセスネットワークの無線周波数をオンにし、前記アイドルモードを終了するために、第1のアクセスネットワークの前記宛先局でレンジングプロセスを実施することを可能にするように特に構成される、請求項11に記載のハンドオーバデバイス。
【請求項１５】
前記ハンドオーバデバイスが前記ユーザ機器内に置かれる、請求項11から14のいずれか一項に記載のハンドオーバデバイス。
【請求項１６】
ユーザ機器が第1のアクセスネットワークから第2のアクセスネットワークにハンドオーバする前またはその後に、前記第1のアクセスネットワークのハンドオーバサーバのIPアドレスを取得するように構成されたハンドオーバサーバIPアドレス取得ユニットと、
前記ユーザ機器が前記第1のアクセスネットワークから前記第2のアクセスネットワークにハンドオーバした後、前記第1のアクセスネットワークの前記ハンドオーバサーバとIPトンネルを確立し、前記トンネルを介して前記第1のアクセスネットワークの前記ハンドオーバサーバから前記第1のアクセスネットワークに再アクセスし、前記第1のアクセスネットワークをトリガして前記第1のアクセスネットワークのサービス局から前記第1のアクセスネットワークの前記ハンドオーバサーバに前記ユーザ機器の接続点をハンドオーバさせるように構成された再アクセスハンドオーバユニットと、
前記ユーザ機器が前記トンネルを介した前記第1のアクセスネットワークの前記サービス局から前記第1のアクセスネットワークの前記ハンドオーバサーバへの前記ハンドオーバを完了した後、前記トンネルを介して前記第1のアクセスネットワークの前記ハンドオーバサーバと対話し、前記第1のアクセスネットワークのアイドルモードに入るように構成されたアイドルモード制御ユニットと、
前記ユーザ機器が前記第2のアクセスネットワークから前記第1のアクセスネットワークにハンドオーバし戻すとき、前記アイドルモードを終了し、前記第1のアクセスネットワークに再アクセスするために前記第1のアクセスネットワークの宛先局への接続を実施するように構成されたハンドオーババックユニットと
を備えるハンドオーバデバイス。
【請求項１７】
前記第1のアクセスネットワークがマイクロ波アクセス世界的相互運用(WiMAX)アクセスネットワークである場合、前記再アクセスハンドオーバユニットが、前記第1のアクセスネットワークの前記ハンドオーバサーバをトリガして前記ユーザ機器の前記サービス局から前記ハンドオーバサーバに前記ユーザ機器をハンドオーバさせるために前記第1のアクセスネットワークの前記サーバにレンジングメッセージを送り、前記第1のアクセスネットワークの前記ハンドオーバサーバからレンジング応答メッセージを受け取るように特に構成される、請求項16に記載のハンドオーバデバイス。
【請求項１８】
前記アイドルモード制御ユニットが、前記アイドルモードを保持するために前記第1のアクセスネットワークの前記ハンドオーバサーバと確立された前記トンネルを介して前記第1のアクセスネットワークの前記ハンドオーバサーバに定期的にメッセージを送るようにさらに構成される、請求項16に記載のハンドオーバデバイス。
【請求項１９】
前記ハンドオーババックユニットが、前記ユーザ機器が前記第1のアクセスネットワークの前記宛先局を選択し、前記ユーザ機器と前記第1のアクセスネットワークの前記ハンドオーバサーバの間の前記トンネルを切断し、前記第2のアクセスネットワークの無線周波数をオフにし、前記第1のアクセスネットワークの無線周波数をオンにし、前記アイドルモードを終了するために、前記第1のアクセスネットワークの前記宛先局でレンジングプロセスを実施することを可能にするように特に構成される、請求項16に記載のハンドオーバデバイス。
【請求項２０】
前記ハンドオーバデバイスが前記ユーザ機器内に置かれる、請求項16から19のいずれか一項に記載のハンドオーバデバイス。
【請求項２１】
ユーザ機器が第1のアクセスネットワークから第2のアクセスネットワークにハンドオーバするとき、前記ユーザ機器の前記第1のアクセスネットワークのサービス局を現在のサービス局から前記第1のアクセスネットワークのハンドオーバサーバにハンドオーバするステップと、
前記ユーザ機器が前記第2のアクセスネットワークから前記第1のアクセスネットワークにハンドオーバし戻す前に、前記第1のアクセスネットワーク内で前記ハンドオーバサーバから前記ユーザ機器の宛先局へのハンドオーバを実施するために、前記第2のアクセスネットワーク内のトンネルを介して前記第1のアクセスネットワークの前記ハンドオーバサーバと対話するステップと、
前記ユーザ機器によって、前記第1のアクセスネットワークの前記宛先局への接続を実施し、前記第1のアクセスネットワークの前記ハンドオーバサーバから前記宛先局への前記ハンドオーバを完了するステップと
を備えるハンドオーバ方法。
【請求項２２】
前記ユーザ機器が前記第2のアクセスネットワークから前記第1のアクセスネットワークにハンドオーバし戻す前に、
前記ユーザ機器によって、第1のアクセスネットワーク内で前記ユーザ機器のネットワーク化された状態を保持するために前記トンネルを介して前記第1のアクセスネットワークの前記ハンドオーバサーバに定期的または不定期にメッセージを送るステップをさらに備える、請求項21に記載のハンドオーバ方法。
【請求項２３】
前記ユーザ機器の前記第1のアクセスネットワークの前記サービス局を前記現在のサービス局から前記第1のアクセスネットワークの前記ハンドオーバサーバにハンドオーバする前記ステップの後に、
タイマが終了する前に前記ユーザ機器のネットワーク化された状態が保持されるように、前記第1のアクセスネットワークによって前記タイマを開始するステップをさらに備える、請求項21に記載のハンドオーバ方法。
【請求項２４】
ユーザ機器が第1のアクセスネットワークから第2のアクセスネットワークにハンドオーバするとき、前記ユーザ機器の前記第1のアクセスネットワークのサービス局を現在のサービス局から前記第1のアクセスネットワークのハンドオーバサーバにハンドオーバするように構成されたサーバハンドオーバユニットと、
前記第1のアクセスネットワーク内で前記ハンドオーバサーバから前記ユーザ機器の宛先局へのハンドオーバが実施されるように、前記ユーザ機器が前記第2のアクセスネットワークから前記第1のアクセスネットワークにハンドオーバし戻す前に、前記第2のアクセスネットワーク内のトンネルを介して前記第1のアクセスネットワークの前記ハンドオーバサーバと対話するように構成された対話ユニットと、
前記ユーザ機器が前記第1のアクセスネットワークの宛先局への接続を実施し、前記第1のアクセスネットワークの前記ハンドオーバサーバから前記宛先局への前記ハンドオーバを完了することを可能にするように構成された接続ユニットと
を備えるハンドオーバデバイス。
【請求項２５】
前記第1のアクセスネットワーク内で前記ユーザ機器のネットワーク化された状態を保持するために前記トンネルを介して前記第1のアクセスネットワークの前記ハンドオーバサーバに定期的または不定期にメッセージを送るように構成された送信ユニット
をさらに備える、請求項24に記載のハンドオーバデバイス。
【発明の詳細な説明】
【技術分野】
【０００１】
本出願は、参照によりその全体が本明細書に組み込まれている、2009年8月28日に中国特許庁に出願された中国特許出願第200910171407.X号、名称「HANDOVER METHOD AND HANDOVER DEVICE」、2009年11月20日に中国特許庁に出願された中国特許出願第200910225384.6号、名称「HANDOVER METHOD AND HANDOVER DEVICE」、および2010年2月10日に中国特許庁に出願された中国特許出願第201010116555.4号、名称「HANDOVER METHOD AND HANDOVER DEVICE」の優先権を主張するものである。
【０００２】
本発明は、通信技術の分野に関し、詳細には、単一無線周波数(RF: radio frequency)ハンドオーバモードのマルチモードユーザ機器(UE: user equipment)によって使用されるハンドオーバ方法およびハンドオーバデバイスに関する。
【背景技術】
【０００３】
単一RFハンドオーバモードのマルチモードUEが、あるアクセスネットワークから別のアクセスネットワークにハンドオーバする場合、適切なハンドオーバサーバを通常見つける必要があり、ハンドオーバサーバとマルチモードUEの間でトンネルを確立する必要がある。トンネルを介してマルチモードUEと宛先アクセスネットワークの間で認証および鍵ネゴシエーションが実施された後、RFハンドオーバが実施され、宛先アクセスネットワーク上で、ネットワークアクセス処理が完了する。
【０００４】
ワイヤレスフィデリティ(WiFi: Wireless Fidelity)とマイクロ波アクセス用世界的相互運用(WiMAX: Worldwide Interoperability for Microwave Access)の間のハンドオーバを例に取ってみる。WiMAXは、無線メトロポリタンエリアネットワーク(WMAN: Wireless Metropolitan Area Network)アクセス技術であり、WiMAXの信号伝送半径は、最大50kmであってよく、郊外を実質的にカバーすることができる。WiFiは、無線ローカルエリアネットワーク(WLAN)アクセス技術であり、WiFiの信号伝送半径は、数百メートルにすぎない。WiMAXとWiFiの両方が、重要な無線広帯域アクセス技術であり、それぞれに長所と短所がある。WiMAX信号が弱い室内で、または人口の多いエリア内においてWiMAXを補うものとしてWiFiを使用することは、適切な選択である。しかし、WiFiのカバレッジは小さいので、WiFiアクセスネットワークにハンドオーバした後、UEは、WiFiアクセスネットワークからWiMAXアクセスネットワークにすぐにハンドオーバし戻すことができる。
【０００５】
本発明の実施中、本発明者らは、従来では、UEが第1のアクセスネットワーク(たとえばWiMAX)から第2のアクセスネットワーク(たとえばWiFi)にハンドオーバし、次いで第1のアクセスネットワークにハンドオーバし戻すとき、認証プロセスおよび鍵ネゴシエーションプロセスを再び実施する必要があり、したがって効率が非常に低下することに気付いている。
【発明の概要】
【課題を解決するための手段】
【０００６】
本発明の実施形態は、第1のアクセスネットワークから第2のアクセスネットワークにハンドオーバした後、単一RFハンドオーバモードのマルチモードUEが元の第1のアクセスネットワークに迅速にハンドオーバし戻すことができるように、ハンドオーバ方法およびハンドオーバデバイスを提供する。
【０００７】
本発明の一実施形態は、
UEが第1のアクセスネットワークから第2のアクセスネットワークにハンドオーバするとき、第1のアクセスネットワークのハンドオーバサーバのアドレスを取得するステップと、
第1のアクセスネットワークのサービス局から第1のアクセスネットワークのハンドオーバサーバにUEの接続点をハンドオーバするステップと、
UEによって、第2のアクセスネットワーク内のネットワークアクセスを完了した後、第1のアクセスネットワークのハンドオーバサーバとトンネルを確立し、トンネルを介して第1のアクセスネットワークのハンドオーバサーバと対話(interact)し、第1のアクセスネットワークのハンドオーバサーバへの接続を実施し、第1のアクセスネットワークのアイドルモードに入るステップと、
UEによって、第2のアクセスネットワークから第1のアクセスネットワークにハンドオーバし戻すとき、アイドルモードを終了し、第1のアクセスネットワークに再アクセスするために第1のアクセスネットワークの宛先局への接続を実施するステップとを含むハンドオーバ方法を提供する。
【０００８】
本発明の一実施形態は、
UEによって、第1のアクセスネットワークのハンドオーバサーバのインターネットプロトコル(IP: Internet Protocol)アドレスを取得するステップと、
UEによって、第1のアクセスネットワークのハンドオーバサーバとIPトンネルを確立し、トンネルを介して第1のアクセスネットワークのハンドオーバサーバと対話し、UEのサービス局から第1のアクセスネットワーク内のハンドオーバサーバへのハンドオーバを実施するステップと、
トンネルを介してハンドオーバサーバから第1のアクセスネットワークのアイドルモードに入るステップと、
UEによって、第2のアクセスネットワークから第1のアクセスネットワークにハンドオーバし戻すとき、アイドルモードを終了し、第1のアクセスネットワークに再アクセスするために第1のアクセスネットワークの宛先局への接続を実施するステップとを含む別のハンドオーバ方法をさらに提供する。
【０００９】
本発明の一実施形態は、
UEが第1のアクセスネットワークから第2のアクセスネットワークにハンドオーバするとき、第1のアクセスネットワークのハンドオーバサーバのアドレスを取得するように構成されたハンドオーバサーバ取得ユニットと、
第1のアクセスネットワークのサービス局から第1のアクセスネットワークのハンドオーバサーバにUEの接続点をハンドオーバするように構成された接続点ハンドオーバユニットと、
UEが第2のアクセスポイント(AP)でネットワークアクセスを完了した後、第1のアクセスネットワークのハンドオーバサーバとトンネルを確立し、トンネルを介して第1のアクセスネットワークのハンドオーバサーバと対話し、第1のアクセスネットワークのハンドオーバサーバへの接続を実施し、第1のアクセスネットワークのアイドルモードに入るように構成されたハンドオーババック準備ユニットと、
UEが第2のアクセスネットワークから第1のアクセスネットワークにハンドオーバし戻すとき、アイドルモードを終了し、第1のアクセスネットワークに再アクセスするために第1のアクセスネットワークの宛先局への接続を実施するように構成されたハンドオーババックユニットとを含むハンドオーバデバイスを提供する。
【００１０】
本発明の一実施形態は、
UEが第1のアクセスネットワークから第2のアクセスネットワークにハンドオーバする前またはその後に、第1のアクセスネットワークのハンドオーバサーバのIPアドレスを取得するように構成されたハンドオーバサーバIPアドレス取得ユニットと、
UEが第1のアクセスネットワークから第2のアクセスネットワークにハンドオーバした後、第1のアクセスネットワークのハンドオーバサーバとIPトンネルを確立し、トンネルを介して第1のアクセスネットワークのハンドオーバサーバから第1のアクセスネットワークに再アクセスし、第1のアクセスネットワークをトリガして第1のアクセスネットワークのサービス局から第1のアクセスネットワークのハンドオーバサーバにUEの接続点をハンドオーバさせるように構成された再アクセスハンドオーバユニットと、
UEがトンネルを介して第1のアクセスネットワークのサービス局から第1のアクセスネットワークのハンドオーバサーバにハンドオーバした後、トンネルを介して第1のアクセスネットワークのハンドオーバサーバと対話し、第1のアクセスネットワークのアイドルモードに入るように構成されたアイドルモード制御ユニットと、
UEが第2のアクセスネットワークから第1のアクセスネットワークにハンドオーバし戻すとき、アイドルモードを終了し、第1のアクセスネットワークに再アクセスするために第1のアクセスネットワークの宛先局への接続を実施するように構成されたハンドオーババックユニットとを含む別のハンドオーバデバイスを提供する。
【００１１】
本発明の実施形態による技術的解決法を考慮して、第1のアクセスネットワークから第2のアクセスネットワークにハンドオーバした後、第1のアクセスネットワーク内のUEの状態は、UEが第2のアクセスネットワークにハンドオーバした後のUEのコンテキスト情報を第1のアクセスネットワークが依然として保持するようにアイドルモードとして設定される。第2のアクセスネットワークから第1のアクセスネットワークにハンドオーバし戻すとき、UEは、アイドルモードを終了し、第1のアクセスネットワークに再アクセスするために第1のアクセスネットワークの宛先局への接続を直接実施して、それによって、第2のアクセスネットワークから第1のアクセスネットワークへのハンドオーバを完了する。従来技術と比べて、第1のアクセスネットワークの事前認証および鍵配布などのプロセスを再び実施する必要はなく、ステップが減少し、したがって、第1のアクセスネットワークから第2のアクセスネットワークにハンドオーバした後、単一RFハンドオーバモードのマルチモードUEは、元の第1のアクセスネットワークに迅速にハンドオーバし戻すことができる。
【００１２】
本発明の諸実施形態による技術的解決策をより明らかに示すために、諸実施形態を示すための添付の図面について、下記に簡潔に述べられる。
【図面の簡単な説明】
【００１３】
【図１】本発明の一実施形態によるハンドオーバ方法のフローチャートである。
【図２Ａ】本発明の一実施形態によるハンドオーバ方法の完全な処理フローチャートである。
【図２Ｂ】本発明の一実施形態によるハンドオーバ方法の完全な処理フローチャートである。
【図３】本発明の一実施形態による別のハンドオーバ方法のフローチャートである。
【図４Ａ】本発明の一実施形態による別のハンドオーバ方法の完全な処理フローチャートである。
【図４Ｂ】本発明の一実施形態による別のハンドオーバ方法の完全な処理フローチャートである。
【図５】本発明の一実施形態によるハンドオーバデバイスの機能ユニット図である。
【図６】本発明の別の実施形態によるハンドオーバデバイスの機能ユニット図である。
【図７】本発明の一実施形態による第3のハンドオーバ方法のフローチャートである。
【図８】本発明の一実施形態による第3のハンドオーバ方法の完全な処理フローチャートである。
【図９】本発明の一実施形態による第3のハンドオーバデバイスの概略構造図である。
【発明を実施するための形態】
【００１４】
本発明の諸実施形態の技術的解決策について、本発明の諸実施形態の添付の図面を参照して、下記に明確かつ完全に述べられる。
【００１５】
現在、単一RFハンドオーバモードで動作するマルチモードUEは、第1のアクセスネットワークを介して第1のアクセスネットワークのコアネットワークにアクセスする。指定されたトリガ条件が満たされる場合は、マルチモードUEは、第2のアクセスネットワークのアクセスのやり方にハンドオーバするように求められ、すなわち、マルチモードUEが第2のアクセスネットワークを介して第1のアクセスネットワークのコアネットワークにアクセスするようにハンドオーバが実施される。指定されたトリガ条件は、第1のアクセスネットワークの信号が弱いことにUEが気付き、第2のアクセスネットワークにハンドオーバすることを自動的に決定することであっても、ユーザがUEの第2のアクセスネットワークへのハンドオーバを能動的に操作することであっても、ネットワークがUEの第2のアクセスネットワークへのハンドオーバを必要とすることであってもよい。
【００１６】
UEは、第1のアクセスネットワークから第2のアクセスネットワークにハンドオーバするとき、単一RFハンドオーバモードで動作するので、まず第1のアクセスネットワークのRFをオフにし、次いで、第2のアクセスネットワークのRFをオンにしてよい。このやり方は、厳密な単一受信単一送信モードであり、すなわち、いつでも1つのRF回路だけが動作している。UEは、第2のアクセスネットワークのRFをオンにし、次いで、第1のアクセスネットワークのRFをオフにすることもできる。第1のアクセスネットワークのRFをオフにする前、第2のアクセスネットワークのRFは、受信だけを実施し、それは、単一RF動作モードにも属するデュアル受信単一送信モードを示している。単一受信単一送信であれ、デュアル受信単一送信であれ、UEが第2のアクセスネットワークのRFを介して情報を送ると決定すると、第1のアクセスネットワークのRFはオフにする必要があり、または少なくとも第1のアクセスネットワークのRFの送信が禁止される。端末が第2のアクセスネットワークから第1のアクセスネットワークにハンドオーバする場合、プロセスは、上記に類似する。
【００１７】
図1を参照すると、本発明の一実施形態によるハンドオーバ方法が、下記を含んでいる。
【００１８】
S110:第1のアクセスネットワークから第2のアクセスネットワークにハンドオーバするとき、UEは、第1のアクセスネットワークのハンドオーバサーバのアドレスを取得する。
【００１９】
取得方法は、それだけに限らないが、下記のやり方を含む。UEは、第1のアクセスネットワークのハンドオーバサーバのアドレスを動的ホスト構成プロトコル(DHCP: Dynamic Host Configuration Protocol)を介して、ドメイン名システム(DNS: Domain Name System)の解決によって、初期ネットワークアクセスにおけるIPアドレスの要求中に、または専用の情報サーバに問い合わせることによって取得する。
【００２０】
S120:UEの接続点を第1のアクセスネットワークのサービス局から第1のアクセスネットワークのハンドオーバサーバにハンドオーバする。
【００２１】
接続点は、UEに関連付けられており、UEにサービスを提供する局を指す。たとえば、UEがWiMAXで動作する場合、接続点は、UEが登録される基地局である。
【００２２】
サービス局は、ワイヤレスRFによってUEと通信する基地局またはAPを指す。
【００２３】
第1のアクセスネットワークがWiMAXアクセスネットワークである場合は、第1のアクセスネットワークのサービス局から第1のアクセスネットワークのハンドオーバサーバにUEの接続点をハンドオーバすることは、下記を含む:
UEが、WiMAXサービス基地局にハンドオーバ要求メッセージを送り、WiMAXサービス基地局が、WiMAXハンドオーバサーバとハンドオーバ関連の情報を交換し;UEが、第1のアクセスネットワークのサービス局を介して、WiMAXサービス基地局によって返されたハンドオーバ応答メッセージを受け取り;UEが、ハンドオーバ応答メッセージに従ってWiMAXサービス基地局にハンドオーバ表示メッセージを送り、WiMAXサービス基地局が、WiMAXハンドオーバサーバにハンドオーバ確認メッセージを送る。
【００２４】
ここでは、WiMAXサービス基地局からWiMAXハンドオーバサーバへのハンドオーバのプロセスについて述べるために、WiMAXを第1のアクセスネットワークの例に取り、またWiMAXハンドオーバサーバは、本明細書では仮想基地局と等価である。第1のアクセスネットワークが第3世代パートナーシッププロジェクト(3GPP: 3rd Generation Partnership Project)アクセスネットワークなど、別のネットワークである場合は、UEをサービス局からハンドオーバサーバにハンドオーバするプロセスは、上記に類似のものであり、本明細書では例を用いて示されていない。
【００２５】
S130:第2のアクセスネットワーク内でネットワークアクセスを完了した後、UEは、第1のアクセスネットワークのハンドオーバサーバとのトンネルを確立し、トンネルを介して第1のアクセスネットワークのハンドオーバサーバと対話し、第1のアクセスネットワークのハンドオーバサーバへの接続を実施し、第1のアクセスネットワークのアイドルモードに入る。
【００２６】
UEが第2のAPでネットワークアクセスを完了する前に、UEの接続点が第1のアクセスネットワークのサービス局から第1のアクセスネットワークのハンドオーバサーバに既にハンドオーバされているので、UEが第1のアクセスネットワークから第2のアクセスネットワークにハンドオーバするとき、第1のアクセスネットワークは、UEのコンテキスト情報を依然として保持しており、またUEが第2のアクセスネットワークから第1のアクセスネットワークにハンドオーバし戻るとき、第1のアクセスネットワークのハンドオーバサーバの発見、認証および鍵配布などのプロセスを再び実施する必要はない。したがって、第2のAPでネットワークアクセスを完了した後、UEは、第1のアクセスネットワークのハンドオーバサーバとトンネルを直接確立し、トンネルを介して第1のアクセスネットワークのハンドオーバサーバと対話し、第1のアクセスネットワークのハンドオーバサーバへの接続を実施し、第1のアクセスネットワークのアイドルモードに入ることを求められるにすぎない。
【００２７】
第1のアクセスネットワークがWiMAXアクセスネットワークであることを例に取ると、UEがWiMAXハンドオーバサーバとトンネルを確立した後、WiMAXハンドオーバサーバは、仮想基地局として働く。UEは、トンネルを介して仮想基地局とのレンジングプロセスをまず実施する。レンジングプロセスは、WiMAXアクセスプロセスの始まりである。レンジングを完了するとき、UEは、認証および鍵配布などのプロセスなしに、仮想基地局に接続される。この場合、UEは、トンネルを介して仮想基地局に登録解除要求を送ってよい。仮想基地局によって返された登録解除応答を受け取った後、UEは、アイドルモードに入る。アイドルモードに入ることは、UEをWiMAX RFに迅速にハンドオーバし戻す準備をすることを目的とする。
【００２８】
第2のアクセスネットワークで動作するとき、UEは、第1のアクセスネットワーク内でUEをアイドルモードに保持するために、トンネルを介して第1のアクセスネットワークのハンドオーバサーバにメッセージを定期的に送るよう求められる。
【００２９】
本明細書ではWiMAXネットワークを例に取ってみる。WiMAXネットワークでは、ユーザ端末は、ネットワークに位置更新メッセージ(位置更新)を送ることによってUEをアイドルモードに保持する。別のタイプのネットワークでは、アイドルモードは、別のメッセージを送ることによって保持することができる。別のネットワークでは、WiMAXネットワークと呼ばれるアイドルモードは、休止状態、省エネモードなどと呼ばれることもある。
【００３０】
S140:第2のアクセスネットワークから第1のアクセスネットワークにハンドオーバし戻すとき、UEは、アイドルモードを終了し、第1のアクセスネットワークに再アクセスするために、第1のアクセスネットワークの宛先局に接続される。
【００３１】
このステップは、具体的には、UEによって、検出または問合せにより第1のアクセスネットワークの宛先局を選択するステップと、UEと第1のアクセスネットワークのハンドオーバサーバの間のトンネルを切断するステップと、第2のアクセスネットワークのRFをオフにし、第1のアクセスネットワークのRFをオンにするステップと、アイドルモードを終了するために、第1のアクセスネットワークの宛先局でレンジングプロセスを実施するステップとを含む。
【００３２】
第1のアクセスネットワークがWiMAXアクセスネットワークであることを例に挙げると、WiMAX RFの下で、UEは、選択された宛先基地局にレンジング要求メッセージを送る。要求メッセージでは、ネットワーク再アクセスが宛先基地局を介して完了するように、アイドルモードの終了を示すパラメータが使用される。別のタイプのネットワークでは、アイドルモードを終了するための方法は、この方法に類似しており、本明細書では述べられない。
【００３３】
本発明のこの実施形態によるハンドオーバ方法では、UEが第1のアクセスネットワークから第2のアクセスネットワークにハンドオーバするとき、第1のアクセスネットワークのハンドオーバサーバのアドレスが取得される。UEが第2のアクセスネットワークにハンドオーバする前に、第1のネットワーク内のUEの接続点は、サービス局から第1のアクセスネットワークのハンドオーバサーバにハンドオーバする。UEが第2のアクセスネットワークにハンドオーバし、第2のアクセスネットワーク内でネットワークアクセス処理を完了した後、UEは、第1のアクセスネットワークのハンドオーバサーバとトンネルを確立し、トンネルを介して第1のアクセスネットワークのハンドオーバサーバと対話し、第1のアクセスネットワークのハンドオーバサーバへの接続を実施し、第1のアクセスネットワークのアイドルモードに入り、次いで、アイドルモードを終了し、第1のアクセスネットワークに再アクセスするために第1のアクセスネットワークの宛先局への接続を実施する。したがって、UEが第2のアクセスネットワークにハンドオーバするとき、第1のアクセスネットワークは、UEのコンテキスト情報を依然として保持する。UEが第2のアクセスネットワークから第1のアクセスネットワークにハンドオーバし戻すよう求められる場合、RFは、直接ハンドオーバされてよく、UEは、第1のアクセスネットワークに再アクセスするために、第1のアクセスネットワークの選択された宛先局でアイドルモードを終了する。従来技術と比べて、第1のアクセスネットワークの事前認証および鍵配布などのプロセスを再び実施する必要はなく、ステップが減少し、したがって、第1のアクセスネットワークから第2のアクセスネットワークにハンドオーバした後、単一RFハンドオーバモードのマルチモードUEは、元の第1のアクセスネットワークに迅速にハンドオーバし戻すことができる。
【００３４】
本発明によるハンドオーバ方法の上記実施形態について、UEがWiMAXアクセスネットワークからWiFiアクセスネットワークにハンドオーバし、次いで、WiMAXアクセスネットワークにハンドオーバし戻す完全なプロセスによって、下記に述べられる。
【００３５】
WiMAXとWiFiの間のハンドオーバは、単に一例として本明細書で用いられていることに留意されたい。本発明による方法は、WiMAXとWiFiの間のハンドオーバに限定されず、第1のアクセスネットワークと他のタイプの第2のアクセスネットワークの間のハンドオーバにも適用可能である。
【００３６】
図2Aおよび図2Bを参照すると、本発明の実施形態によるハンドオーバ方法の完全なプロセスが、下記を含んでいる。
【００３７】
ステップ1:UEが、UEのWiMAXアクセスサービスネットワーク(ASN: WiMAX Access Service Network)内の使用可能なWiFiハンドオーバサーバおよび使用可能なWiMAXハンドオーバサーバを探索する。UEがネットワークに最初にアクセスするときに、このプロセスが既に完了している場合、このステップは、本明細書では必要ない。
【００３８】
WiFiネットワークがハンドオーバサーバをも使用し、したがって、UEは、WiMAXハンドオーバサーバとWiFiハンドオーバサーバに関する情報を同時に取得すると本明細書では仮定する。実際、WiFiネットワークがハンドオーバサーバを使用するかどうかは、本発明で提供されたハンドオーバ方法に関係ない。
【００３９】
ステップ2:UEとWiFiハンドオーバサーバの間のトンネルを確立する。
【００４０】
トンネルが確立された後、WiFiハンドオーバサーバは、仮想APとして働き、メッセージが、トンネルを介してWiFiハンドオーバサーバとUEの間で転送される。トンネル内で転送するためのデータ形式は、下記であってよい:IPヘッダ、トンネルヘッダ(トンネルヘッダ)および802.11MAC(Medium Access Control:メディアアクセス制御)フレーム(802.11MACフレーム)。IPアドレスは、公衆網でアドレッシング可能であるWiFiハンドオーバサーバのIPアドレスおよびUEのIPアドレスである。トンネルヘッダは、使用されるトンネルプロトコルに依存し、汎用ルーティングカプセル化(GRE: Generic Routing Encapsulation)プロトコルが使用される場合、トンネルヘッダはGREヘッダである。802.11MACフレームは、UEおよびWiFiハンドオーバサーバのWiFi RFモジュールによって生成される802.11形式のMACフレームである。
【００４１】
ステップ3:UEは、WiFiハンドオーバサーバ(仮想AP)でWiFiアクセスネットワークに最初にアクセスするプロセスを完了する。
【００４２】
まず、オープンシステム認証が、UEと仮想APの間で実施される。オープンシステム認証は、下記の2つのメッセージによって形成される:UEは、仮想APにUEのID含む要求メッセージを送り、仮想APは、成功応答メッセージを直接返す。UEは、仮想APとの関連付けを確立する。次いで、802.1x拡張認証プロトコル(EAP: Extensible Authentication Protocol)認証が、UEとWiFiアクセスネットワークのオーセンティケータの間で実施される。UEは、トンネルを介して仮想APのオーセンティケータに認証メッセージを転送する。マスタセッション鍵(MSK: Master Session Key)が、UEと認証サーバの間で確立される。認証サーバが、MSKを仮想APのオーセンティケータに転送する。4ステップのハンドシェークが、UEと仮想APのオーセンティケータの間で実施され、PTK(Pairwise Transient Key:  ペア一時鍵)が、確立されたオーセンティケータである。
【００４３】
ステップ4:UEは、WiFi APとの事前認証プロセスを実施する。
【００４４】
仮想APで初期ネットワークアクセスを完了した後、UEは、802.11-2007仕様の事前認証プロセスに従って、WiFi AP(宛先AP)との事前認証プロセスを実施し始める。まず、UEは、802.1X拡張可能認証プロトコルオーバLAN(EAPOL: Extensible Authentication Protocol over LAN)開始メッセージを仮想APに送るために、UEによって仮想APのオーセンティケータと確立されたPTKを使用する。MACフレームでは、DA(destination address:  宛先アドレス)は、宛先APの基本サービスセット識別子(BSSID: Basic Service Set Identifier)で埋められ、RA(address of a receiver:  受信側のアドレス)は、仮想APのMACアドレスで埋められる。仮想APは、DAのBSSIDに従って、仮想APに対応するオーセンティケータのIPアドレスを問い合わせる。次いで、仮想APは、認証データを交換するために、このIPアドレスのオーセンティケータとトンネルを確立する。事前認証の結果、ペアマスタ鍵セキュリティアライアンス(PMK SA: Pairwise Master Key Security Alliance)がUEと宛先APの間で確立されることになる。
【００４５】
このプロセスでは、WiMAXからWiFiへのハンドオーバが実施されるとき、まずWiFiハンドオーバサーバによって事前認証が完了し、次いで、RFハンドオーバが実施されると仮定する。実際、WiFiへのハンドオーバが実施されるときにWiFiネットワークの事前認証プロセスが実施されるかどうかは、本発明に提供されたハンドオーバ方法に関係ない。
【００４６】
ステップ5:UEは、UEとWiFiハンドオーバサーバの間のトンネルを切断する。
【００４７】
ステップ6:UEは、WiMAXサービス基地局にハンドオーバ要求メッセージを送り、WiMAXハンドオーバサーバである仮想基地局にハンドオーバする。
【００４８】
このステップは、具体的には下記の通りである:UEは、WiMAXサービス基地局にハンドオーバ要求メッセージを送る。WiMAXサービス基地局は、WiMAXハンドオーバサーバとハンドオーバ関連の情報を交換する。WiMAXサービス基地局によって返されたハンドオーバ応答メッセージが、第1のアクセスネットワークのサービス局を介して受け取られる。UEは、ハンドオーバ応答メッセージに従って、WiMAXサービス基地局にハンドオーバ表示メッセージを送る。WiMAXサービス基地局は、WiMAXハンドオーバサーバにハンドオーバ確認メッセージを送る。
【００４９】
このステップは、ステップ2からステップ5のプロセスで同時に実施することができるが、UEによってサービス基地局にハンドオーバ表示メッセージを送るステップは、ステップ5の後に実施する必要がある。
【００５０】
ステップ7:UEは、WiMAX RFをオフにし、WiFi RFをオンにする。
【００５１】
ステップ8:UEは、宛先APとの再関連付けプロセスを完了する。
【００５２】
UEの再関連付け要求内のロバストセキュリティネットワーク情報要素(RSNIE: Robust security network information element)は、ステップ4で確立されたPMK識別子(PMKID: PMK identifier)を含む。宛先APがPMKIDに従って宛先AP内のバッファ内でPMKIDに対応するPMKを見つけた後、両者は、宛先APのネットワークアクセス処理が完了し、すなわち、WiFiアクセスネットワーク内のネットワークアクセスプロセスが完了するように、ペア一時鍵PTKを取得するための4ステップハンドシェークを実施する。
【００５３】
ステップ9:UEは、モバイルインターネットプロトコルMIP登録プロセスを実施する。
【００５４】
ステップ10:UEは、WiFiデータ経路上でWiMAXハンドオーバサーバとのトンネルを確立する。
【００５５】
トンネルは、WiFiデータ経路上で、WiMAXハンドオーバサーバと確立された3層トンネルである。すなわち、UEは、IP層(すなわちレイヤ3)上でWiMAXハンドオーバサーバとメッセージを交換する(リンク層はレイヤ2である)。UEによってWiMAXハンドオーバサーバに送られたレイヤ2メッセージは、WiFiアクセスネットワークでIPメッセージ内のデータとして送信される。
【００５６】
ステップ11:UEは、トンネル内でWiMAXハンドオーバサーバとのレンジングプロセスを完了する。このステップは、ステップ6の後に続く。レンジングを完了した後、UEは、仮想基地局に接続される。
【００５７】
ステップ12:UEは、WiMAXハンドオーバサーバに登録解除要求を送り、アイドル動作モードに入る。
【００５８】
上記ステップによって、WiMAXアクセスネットワークからWiFiアクセスネットワークへのハンドオーバが完了し、UEのコンテキスト情報が、WiMAXアクセスネットワーク内で保持される。
【００５９】
ステップ13:UEは、WiFiアクセスネットワーク内で動作するとき、WiMAXアクセスネットワークのアイドルモードを保持するために、トンネルを介してWiMAXハンドオーバサーバに位置更新メッセージを定期的に送るよう求められる。
【００６０】
UEがWiMAXネットワークにハンドオーバし戻すと決める場合は、ハンドオーバ宛先基地局が決定された後、下記ステップが実施される。
【００６１】
ステップ14:UEは、UEとWiMAXハンドオーバサーバの間のトンネルを切断する。
【００６２】
ステップ15:UEは、WiFi RFをオフにし、WiMAX RFをオンにする。
【００６３】
ステップ16:UEは、レンジングプロセス、およびWiMAX宛先基地局でネットワーク再アクセスプロセスを実施する。これは、アイドルモードを終了するプロセスである。
【００６４】
ステップ17:UEは、モバイルインターネットプロトコルMIP登録プロセスを実施する。
【００６５】
このようにして、UEは、ユーザの現在のセッションが保持されるように、WiMAXアクセスネットワークに迅速にハンドオーバし戻す。
【００６６】
上記の完全なハンドオーバプロセスを考慮して、この実施形態で提供されたハンドオーバ方法では、UEがWiMAXアクセスネットワークからWiFiアクセスネットワークにハンドオーバした後、ハンドオーバの前に、UEの接続点は、WiMAXサービス基地局からWiMAXハンドオーバサーバにハンドオーバし、WiMAXアクセスネットワークからWiFiアクセスネットワークへのハンドオーバが完了した後、UEは、WiFiトンネルを介してWiMAXハンドオーバサーバに接続され、WiMAXアクセスネットワークがUEのコンテキスト情報を依然として保持するようにアイドルモードに入る。UEがWiFiアクセスネットワークからWiMAXアクセスネットワークにハンドオーバし戻すとき、WiMAXアクセスネットワークの事前認証および鍵配布などのプロセスを再び実施する必要はなく、ステップが減少し、その結果、WiMAXアクセスネットワークからWiFiアクセスネットワークにハンドオーバした後、単一RFハンドオーバモードのマルチモードUEは、元のWiMAXアクセスネットワークに迅速にハンドオーバし戻すことができる。
【００６７】
図3は、下記を含む本発明の別の実施形態によるハンドオーバ方法を示している。
【００６８】
S310:UEは、第1のアクセスネットワークのハンドオーバサーバのIPアドレスを取得する。
【００６９】
第2のアクセスネットワーク内で第1のアクセスネットワークのハンドオーバサーバとIPトンネルを確立するために、UEは、第1のアクセスネットワークのハンドオーバサーバのIPアドレスを取得するよう求められ、このIPアドレスは、UEのアクセスネットワークハンドオーバの前に取得されることも、UEが第2のアクセスネットワークにハンドオーバした後に取得されることもある。具体的には、取得のやり方は、DNSプロトコルまたはDHCPの使用、専用の情報サーバへの問合せなどであってよく、それについては、本明細書ではさらに述べられない。
【００７０】
S320:第2のアクセスネットワークにハンドオーバした後、UEは、第1のアクセスネットワークのハンドオーバサーバとIPトンネルを確立し、トンネルを介して第1のアクセスネットワークのハンドオーバサーバと対話し、UEのサービス局から第1のアクセスネットワーク内のハンドオーバサーバへのハンドオーバを実施する。
【００７１】
いわゆるサービス局は、UEが第2のアクセスネットワークにハンドオーバする前にUEにサービスする第1のアクセスネットワークのAPを指す。たとえば、第1のアクセスネットワークがWiMAXである場合、サービス局は、UEに初めにサービスする基地局である。
【００７２】
第1のアクセスネットワークから第2のアクセスネットワークにハンドオーバするとき、UEが、第2のアクセスネットワークへのハンドオーバに関連した、または第1のアクセスネットワーク内の第1のアクセスネットワーク終了の要求に関連したメッセージを送らないので、第1のアクセスネットワークは、UEのコンテキスト情報を依然として保持する。UEは、接続点がサービス局から宛先局にハンドオーバされるように、宛先局、たとえばハンドオーバサーバにハンドオーバ要求を直接送ることができる。
【００７３】
第1のアクセスネットワークがWiMAXネットワークであることを例に挙げると、第1のアクセスネットワークのサービス局から第1のアクセスネットワークのハンドオーバサーバにUEをハンドオーバするプロセスは、下記の通りである:UEは、第2のアクセスネットワーク内で確立されたトンネルを介して、第1のアクセスネットワークのハンドオーバサーバにレンジング要求メッセージを送り、レンジング要求メッセージが、UEのサービス局の識別情報を含む。この場合、UEによって送られたレンジング要求の効果は、ハンドオーバ要求の効果と等価である。確かに、UEは、ハンドオーバ要求メッセージを専用に送ることもできる。様々な実施方法が、様々なネットワークに存在する。レンジング要求を受け取った後、第1のアクセスネットワークのハンドオーバサーバは、アクセスゲートウェイおよびUEのサービス局からUEのコンテキスト情報および他の情報を取得し(図4A、4Bに図示せず)、ハンドオーバの準備が完了するように、データ経路を確立し、他の操作を実施する。第1のアクセスネットワークのハンドオーバサーバは、レンジング応答メッセージをUEに送り、ハンドオーバが完了することを示す。第1のアクセスネットワークのハンドオーバサーバは、UEのサービス局と対話し、ハンドオーバが完了することを確認する。
【００７４】
ここで、WiMAXサービス基地局からWiMAXハンドオーバサーバへのハンドオーバのプロセスについて述べるために、WiMAXを第1のアクセスネットワークの例に取り、また本明細書におけるWiMAXハンドオーバサーバは、仮想基地局と等価である。第1のアクセスネットワークが3GPPアクセスネットワークなどの別のネットワークである場合、サービス局からハンドオーバサーバにUEをハンドオーバするプロセスは、上記に類似のものであり、本明細書では例を用いて述べられない。
【００７５】
本発明は、UEと第1のアクセスネットワークのハンドオーバサーバの間のトンネルが確立される特定のやり方に関係しない。
【００７６】
S330:UEは、トンネルを介してハンドオーバサーバから第1のアクセスネットワークのアイドルモードに入る。
【００７７】
UEがステップS320によって第1のアクセスネットワークの基地局間のハンドオーバを完了した後、第1のアクセスネットワーク内のUEの接続点は、第1のアクセスネットワークの元のサービス局から第1のアクセスネットワークのハンドオーバサーバにハンドオーバし、したがって、UEは、トンネルを介して第1のアクセスネットワークのハンドオーバサーバから第1のアクセスネットワークのアイドルモードに入ってよい。
【００７８】
第1のアクセスネットワークがWiMAXアクセスネットワークであることを例に挙げると、UEは、UEと第1のアクセスネットワークのハンドオーバサーバの間のトンネルを介して仮想基地局に登録解除要求を送る。アイドルモードに入ることは、登録解除要求メッセージ内に示される。仮想基地局によって返された登録解除応答を受け取った後に、UEは、第1のアクセスネットワークのアイドルモードに入る。
【００７９】
UEが第2のアクセスネットワークで動作するとき、第1のアクセスネットワーク内でアイドルモードを保持する必要がある場合には、第1のアクセスネットワーク内でUEをアイドルモードに保持するのに、トンネルを介して第1のアクセスネットワークのハンドオーバサーバにメッセージを定期的に送る必要がある。
【００８０】
本明細書ではWiMAXネットワークを例に取ってみる。WiMAXネットワークでは、UEは、位置更新メッセージ(位置更新)をネットワークに送ることによってUEをアイドルモードで保持する。別のタイプのネットワークでは、アイドルモードは、別のメッセージを送ることによって保持されてもよい。別のネットワークでは、WiMAXネットワーク内で呼び出されたアイドルモードは、休止状態、省エネモードなどと呼ばれることもある。
【００８１】
S340:第2のアクセスネットワークから第1のアクセスネットワークにハンドオーバし戻すとき、UEは、アイドルモードを終了し、第1のアクセスネットワークに再アクセスするために、第1のアクセスネットワークの宛先局に接続される。
【００８２】
一実施形態では、このステップは具体的には、UEによって、検出または問合せによって第1のアクセスネットワークの宛先局を選択するステップと、UEと第1のアクセスネットワークのハンドオーバサーバの間のトンネルを切断するステップと、第2のアクセスネットワークのRFをオフにし、第1のアクセスネットワークのRFをオンにするステップと、アイドルモードを終了するために、第1のアクセスネットワークの宛先局でレンジングプロセスを実施するステップとを含む。
【００８３】
第1のアクセスネットワークがWiMAXアクセスネットワークであることを例に挙げると、WiMAX RFの下で、UEは、選択された宛先基地局にレンジング要求メッセージを送る。要求メッセージでは、ネットワーク再アクセスが宛先基地局を介して完了するように、アイドルモードの終了を示すパラメータが使用される。別のタイプのネットワークでは、アイドルモードを終了するための方法は、この方法に類似しており、本明細書では述べられない。
【００８４】
本発明のこの実施形態で提供されたハンドオーバ方法では、第1のアクセスネットワークから第2のアクセスネットワークにハンドオーバした後、UEは、第1のアクセスネットワークのハンドオーバサーバとトンネルを確立し、トンネルを介して第1のアクセスネットワークのハンドオーバサーバと対話し、UEのサービス局から第1のアクセスネットワーク内のハンドオーバサーバへのハンドオーバを実施し;トンネルを介してハンドオーバサーバから第1のアクセスネットワークのアイドルモードに入る。第2のアクセスネットワークから第1のアクセスネットワークにハンドオーバし戻すとき、UEは、アイドルモードを終了し、第1のアクセスネットワークに再アクセスするために第1のアクセスネットワークの宛先局への接続を実施する。したがって、UEが第2のアクセスネットワークにハンドオーバするとき、第1のアクセスネットワークは、UEのコンテキスト情報を依然として保持する。UEが第2のアクセスネットワークから第1のアクセスネットワークにハンドオーバし戻すよう求められるとき、RFは、直接ハンドオーバされてよく、UEは、第1のアクセスネットワークに再アクセスするために、第1のアクセスネットワークの選択された宛先局でアイドルモードを終了する。従来技術と比べて、第1のアクセスネットワークの事前認証および鍵配布などのプロセスを再び実施する必要はなく、ステップが減少し、したがって、第1のアクセスネットワークから第2のアクセスネットワークにハンドオーバした後、単一RFハンドオーバモードのマルチモードUEは、元の第1のアクセスネットワークに迅速にハンドオーバし戻すことができる。
【００８５】
本発明による別のハンドオーバ方法の上記実施形態について、UEがWiMAXアクセスネットワークからWiFiアクセスネットワークにハンドオーバし、次いで、WiMAXアクセスネットワークにハンドオーバし戻す完全なプロセスによって、下記に述べられる。
【００８６】
WiMAXとWiFiの間のハンドオーバは、本明細書では単に一例として挙げられていることに留意されたい。本発明による方法は、WiMAXとWiFiの間のハンドオーバに限定されず、第1のアクセスネットワークと別のタイプの第2のアクセスネットワークとの間のハンドオーバにも適用可能である。
【００８７】
図4A、4Bを参照すると、本発明の一実施形態によるハンドオーバ方法の完全なプロセスが、下記を含んでいる。
【００８８】
ステップ401:UEが、使用可能なWiFiハンドオーバサーバを探索する。
【００８９】
WiFiネットワークがハンドオーバサーバをも使用すると本明細書では仮定する。
【００９０】
ステップ402:UEとWiFiハンドオーバサーバの間のトンネルを確立する。
【００９１】
トンネルが確立された後、WiFiハンドオーバサーバは、仮想APとして働き、メッセージが、トンネルを介してWiFiハンドオーバサーバとUEの間で転送される。
【００９２】
ステップ403:UEは、トンネルを介してWiFiハンドオーバサーバ(仮想AP)でWiFiアクセスネットワークのネットワーク事前アクセスプロセスを完了し、また仮想APから実際の宛先APへのハンドオーバプロセスが含まれる。
【００９３】
本発明では、第1のアクセスネットワークから第2のアクセスネットワークへの単一RFハンドオーバプロセスは、本発明に関係しないので、WiMAXアクセスネットワークからWiFiアクセスネットワークへのハンドオーバのプロセスについて、本明細書では詳細に述べられない。
【００９４】
ステップ404:UEは、UEとWiFiハンドオーバサーバの間のトンネルを切断する。
【００９５】
ステップ405:UEは、WiMAX RFをオフにし、WiFi RFをオンにする。
【００９６】
ステップ406:UEは、宛先APとの再関連付けプロセスを完了し、エアインターフェースを介したWiFiネットワークへの再アクセスを完了する。
【００９７】
ステップ407:UEは、MIP登録プロセスを実施する。このステップが完了した後、UEの進行中のアプリケーション接続が、WiFiネットワークにハンドオーバする。
【００９８】
ステップ408:UEは、たとえばDNSまたはDHCPを使用し、あるいは情報サーバに問い合わせることによってWiMAXハンドオーバサーバのIPアドレスを取得する。このステップは、UEがWiFiネットワークにハンドオーバする前に実施することもできる。たとえば、IPアドレスは、ステップ401で、WiFiスモールフォームファクタ(SFF: Small Form Factor)に関する情報と共に取得することもできる。
【００９９】
ステップ409:UEは、WiMAXハンドオーバサーバとIPトンネルを確立する。UEが現在WiFiネットワーク内で動作しているので、このトンネルは、WiFiネットワークを通過する。
【０１００】
トンネルはIPトンネルである。すなわち、UEはIP層の上のWiMAXハンドオーバサーバとメッセージを交換し、UEとWiMAXハンドオーバサーバの間のWiMAXエアインターフェースメッセージは、IPメッセージ内のデータとして送信される。
【０１０１】
ステップ410:UEは、トンネル内でWiMAXハンドオーバサーバとのレンジングプロセスを完了し、ネットワーク再アクセスを実施する。UEによってWiMAXハンドオーバサーバに送られたレンジング要求メッセージは、UEのサービス基地局のIDを含む。レンジング要求メッセージを受け取った後、WiMAXハンドオーバサーバは、機器に関する情報が存在しないことに気付き;この場合、機器のコンテキスト情報は、機器のサービス基地局から取得され、新しい許可鍵など、他の情報が、アクセスゲートウェイから同時に取得され;さらに、パスの確立など、ハンドオーバ準備が完了する。準備を完了した後、WiMAXハンドオーバサーバは、ネットワーク再アクセスが成功であることを示すレンジング応答メッセージをUEに返す。WiMAXハンドオーバサーバは、UEの元のサービス基地局にハンドオーバ完了メッセージをも送る。この場合、元のサービス基地局は、UEのコンテキスト情報を公表することができる。
【０１０２】
ステップ411:UEは、WiMAXハンドオーバサーバに登録解除要求を送り、アイドル動作モードに入る。
【０１０３】
上記ステップによって、WiMAXアクセスネットワークからWiFiアクセスネットワークへのハンドオーバが完了し、UEのコンテキスト情報が、WiMAXアクセスネットワーク内で保持される。
【０１０４】
ステップ412:UEは、WiFiアクセスネットワーク内で動作するとき、WiMAXアクセスネットワークのアイドルモードを保持するために、トンネルを介してWiMAXハンドオーバサーバに位置更新メッセージを定期的に送るよう求められる。
【０１０５】
UEがWiMAXネットワークにハンドオーバし戻すと決める場合、ハンドオーバ宛先基地局が決定された後、下記ステップが実施される。
【０１０６】
ステップ413:UEは、UEとWiMAXハンドオーバサーバの間のトンネルを切断する。
【０１０７】
ステップ414:UEは、WiFi RFをオフにし、WiMAX RFをオンにする。
【０１０８】
ステップ415:UEは、レンジングプロセス、およびWiMAX宛先基地局でネットワーク再アクセスプロセスを実施する。これは、アイドルモードを終了するプロセスである。宛先基地局を介してネットワークに再アクセスするとき、UEがWiMAX内でアイドルモードにあるので、宛先基地局は、ステップ409のプロセスを実施せず、主としてデータ経路を確立するよう求められ、それによって、プロセスが単純になる。
【０１０９】
ステップ416:UEは、MIP登録プロセスを実施する。
【０１１０】
このようにして、UEは、ユーザの現在のセッションが保持されるように、WiMAXアクセスネットワークに迅速にハンドオーバし戻す。
【０１１１】
上記の完全なハンドオーバプロセスを考慮して、この実施形態で提供されたハンドオーバ方法では、UEがWiMAXアクセスネットワークからWiFiアクセスネットワークにハンドオーバした後、WiMAXアクセスネットワーク内のUEの接続点は、トンネルを介してサービス基地局からWiMAXハンドオーバサーバにハンドオーバされ、次いで、WiMAXハンドオーバサーバからアイドルモードに入り、したがって、WiMAXアクセスネットワークは、UEのコンテキスト情報を依然として保持する。UEがWiFiアクセスネットワークからWiMAXアクセスネットワークにハンドオーバし戻すとき、UEは、宛先基地局からのアイドルモードをちょうど直接終了していることがあり、WiMAXアクセスネットワークの事前認証および鍵配布などのプロセスを再び実施する必要はなく、ステップが減少し、したがって、WiMAXアクセスネットワークから  WiFiアクセスネットワークにハンドオーバした後、単一RFハンドオーバモードのマルチモードUEは、元のWiMAXアクセスネットワークに迅速にハンドオーバし戻すことができる。
【０１１２】
図7は、下記を含む本発明の別の実施形態によるハンドオーバ方法を示している。
【０１１３】
S710:第1のアクセスネットワークから第2のアクセスネットワークにUEをハンドオーバする間、UEの第1のアクセスネットワークのサービス局は、現在のサービス局から第1のアクセスネットワークのハンドオーバサーバにハンドオーバされる。
【０１１４】
UEは、第2のアクセスネットワークの前に現在のサービス局から第1のアクセスネットワークのハンドオーバサーバにハンドオーバするプロセスを実施するために、図1に示された実施形態を使用してもよいし、UEが第2のアクセスネットワークにハンドオーバした後に第2のアクセスネットワーク内のトンネルを介して現在のサービス局から第1のアクセスネットワークのハンドオーバサーバにハンドオーバするプロセスを実施するために、図3に示された実施形態の方法を使用してもよい。
【０１１５】
第1のアクセスネットワークから第2のアクセスネットワークにハンドオーバした後、UEが、第1のアクセスネットワークのアイドルモードに入らないことは、図1および図3に示された実施形態とは異なる。
【０１１６】
S720:第2のアクセスネットワークから第1のアクセスネットワークにハンドオーバし戻す前に、UEは、トンネルを介して第1のアクセスネットワークのハンドオーバサーバと対話し、第1のアクセスネットワーク内でハンドオーバサーバからUEの宛先局へのハンドオーバを実施する。
【０１１７】
このステップで、UEは、第1のアクセスサーバに、第2のアクセスネットワークを通過するトンネルを介して宛先局にハンドオーバをするよう要求し、宛先局は、ハンドオーバの準備を完了する。
【０１１８】
S730:UEは、第1のアクセスネットワークの宛先局への接続を実施し、第1のアクセスネットワークのハンドオーバサーバから宛先局へのハンドオーバを完了する。このステップで、UEは、エアインターフェース上で第1のアクセスネットワークにハンドオーバし、ハンドオーバの準備を予め行う宛先局に接続される。宛先局は、第1のアクセスネットワークのハンドオーバサーバから宛先局へのハンドオーバの後続のステップを完了する。このステップが完了した後、第2のアクセスネットワークから第1のアクセスネットワークへのハンドオーバは、完全に完了する。
【０１１９】
本発明のこの実施形態で提供されたハンドオーバ方法では、第1のアクセスネットワークから第2のアクセスネットワークへのUEのハンドオーバの間、UEの第1のアクセスネットワークのサービス局は、現在のサービス局から第1のアクセスネットワークのハンドオーバサーバにハンドオーバされる。第2のアクセスネットワークから第1のアクセスネットワークにハンドオーバし戻す前に、UEは、トンネルを介して第1のアクセスネットワークのハンドオーバサーバと対話し、第1のアクセスネットワーク内で、ハンドオーバサーバからUEの宛先局へのハンドオーバを実施する。UEは、第1のアクセスネットワークの宛先局への接続を実施し、第1のアクセスネットワークのハンドオーバサーバから宛先局へのハンドオーバを完了する。したがって、UEが第2のアクセスネットワークにハンドオーバするとき、第1のアクセスネットワークは、UEのコンテキスト情報を依然として保持する。第2のアクセスネットワークから第1のアクセスネットワークにハンドオーバし戻すよう求められるとき、UEは、トンネルを介して第1のアクセスネットワークのハンドオーバサーバから宛先局にハンドオーバし、それによって、第1のアクセスネットワークにハンドオーバし戻すプロセスを完了する。従来技術と比べて、第1のアクセスネットワークの事前認証および鍵配布などのプロセスを再び実施する必要はなく、ステップが減少し、したがって、第1のアクセスネットワークから第2のアクセスネットワークにハンドオーバした後、単一RFハンドオーバモードのマルチモードUEは、元の第1のアクセスネットワークに迅速にハンドオーバし戻すことができる。
【０１２０】
本発明による別のハンドオーバ方法の上記実施形態について、UEがWiMAXアクセスネットワークからWiFiアクセスネットワークにハンドオーバし、次いで、WiMAXアクセスネットワークにハンドオーバし戻す完全なプロセスによって、下記に述べられる。
【０１２１】
WiMAXとWiFiの間のハンドオーバは、本明細書では単に一例として挙げられていることに留意されたい。本発明による方法は、WiMAXとWiFiの間のハンドオーバに限定されず、第1のアクセスネットワークと別のタイプの第2のアクセスネットワークの間のハンドオーバにも適用可能である。
【０１２２】
図8を参照すると、本発明の一実施形態によるハンドオーバ方法の完全なプロセスが、下記を含んでいる。
【０１２３】
ステップ801:UEは、WiMAXアクセスネットワークからWiFiアクセスネットワークにハンドオーバする。このステップは、図2A、2Bおよび図4A、4Bに示された諸実施形態において既に詳細に述べられており、本明細書では再び述べられない。
【０１２４】
ステップ802:WiMAXアクセスネットワークからWiFiアクセスネットワークにハンドオーバする間、UEは、WiMAXサービス基地局からWiMAXハンドオーバサーバへのハンドオーバを完了する。このプロセスは、図2A、2Bに示された実施形態のステップ6および11に示された方法、または図4Bに示された実施形態のステップ410で示された方法を使用してよい。図2A、2Bに示されたステップ6および11の方法は、下記の通りである:WiFiアクセスネットワークにハンドオーバする前に、UEは、WiMAXサービス基地局に、WiMAXハンドオーバサーバへのハンドオーバを要求し;WiMAXサービス基地局およびWiMAXハンドオーバサーバは、ハンドオーバの準備を完了し;次いで、UEは、WiMAXサービス基地局へのハンドオーバの実施を確認し;WiFiアクセスネットワークにハンドオーバした後に、UEは、トンネルを介してWiMAXハンドオーバサーバに接続され、サービス基地局からハンドオーバサーバへのハンドオーバを完了する。図4Bのステップ410に示された方法では、WiFiアクセスネットワークへのハンドオーバの後にUEがトンネルを介してWiMAXハンドオーバサーバに接続されるとき、WiMAXハンドオーバサーバは、UEのサービス基地局からWiMAXハンドオーバサーバへのハンドオーバのプロセスを実施するようにトリガされる。
【０１２５】
WiMAXサービス基地局からWiMAXハンドオーバサーバにハンドオーバするのにどちらの方法が使用されても、この実施形態ではUEは、このステップの後、WiMAXネットワークのアイドルモードに入らない。
【０１２６】
UEは、トンネルを介してWiMAXハンドオーバサーバにメッセージ、たとえばレンジングメッセージを定期的または不定期に送ることができ、その結果、WiMAXアクセスネットワークは、ネットワークからUEを取り除くのではなく、すなわち、ある期間の後にUEが見られないので、UEに関連するすべての情報を削除し、ユーザによって占有されたリソースを取り戻すのではなく、UEがネットワーク内にいることを知る。
【０１２７】
WiMAXハンドオーバサーバは、タイマを開始することもでき、その結果、タイマの終了前、さらにUEからメッセージが受信されず、UEは、ネットワークから取り除かれない。
【０１２８】
ステップ803:UEがWiMAXネットワークにハンドオーバし戻すと決める場合、ハンドオーバ宛先基地局が決定された後、WiMAXハンドオーバサーバから、選択された宛先局へのハンドオーバのプロセスが実施される。このプロセスは、UEとハンドオーバサーバの間のメッセージがすべてWiFiネットワーク内のトンネルを介して送られることを除いて、図2Aに示されたステップ6と同じである。
【０１２９】
ステップ804:UEは、UEとWiMAXハンドオーバサーバの間のトンネルを切断する。
【０１３０】
ステップ805:UEは、WiFi RFをオフにし、WiMAX RFをオンにする。
【０１３１】
ステップ806:UEは、WiMAXの宛先基地局でレンジングプロセスおよびネットワーク再アクセスプロセスを実施する。すなわち、UEは、宛先基地局に接続される。UEが宛先基地局に接続されると、宛先基地局は、ハンドオーバサーバから宛先基地局へハンドオーバのプロセスの後続のステップを完了し、それは、端末が宛先基地局に接続されていることをハンドオーバサーバに通知することを含む。
【０１３２】
ステップ807:UEは、MIP登録プロセスを実施する。
【０１３３】
このようにして、UEは、ユーザの現在のセッションが保持されるようにWiMAXアクセスネットワークに迅速にハンドオーバし戻す。
【０１３４】
上記の完全なハンドオーバプロセスを考慮して、この実施形態で提供されたハンドオーバ方法では、UEがWiMAXアクセスネットワークからWiFiアクセスネットワークにハンドオーバするとき、サービス局であるWiMAXアクセスネットワーク内のUEの接続点は、現在のサービス基地局からWiMAXハンドオーバサーバにハンドオーバされ、その結果、UEは依然として、WiMAXアクセスネットワーク内のネットワーク化された状態にあり、すなわち、UEのコンテキストが保持される。UEがWiFiアクセスネットワークからWiMAXアクセスネットワークにハンドオーバし戻すとき、WiMAXハンドオーバサーバから宛先基地局へのハンドオーバのプロセスを実施するためにWiMAXアクセスネットワークの事前認証および鍵配布などのプロセスを再び実施する必要はなく、ステップが減少し、時間が節約され、その結果、WiMAXアクセスネットワークからWiFiアクセスネットワークにハンドオーバした後、単一RFハンドオーバモードのマルチモードUEは、元のWiMAXアクセスネットワークに迅速にハンドオーバし戻すことができる。WiMAXネットワーク内のUEのコンテキストがWiMAXからWiFiへのハンドオーバの間に保持されることは、説明のために単に一例として挙げられている。当業者は、上記説明に従ってWiFiからWiMAXへのハンドオーバの間にWiFiネットワーク内でUEのコンテキストを保持するための実施方法を得ることができ、それについては、本明細書では再び述べられない。
【０１３５】
当業者は、WiMAXネットワークとWiFiネットワーク以外のネットワーク間のハンドオーバのために、上記実施形態に従ってUEが別のネットワークにハンドオーバするとき、あるネットワーク内にUEのコンテキストを保持するための技術的解決策を得ることもでき、それについては、本明細書では再び述べられない。
【０１３６】
図5を参照すると、図1および図2A、2Bに示されたハンドオーバ方法の諸実施形態に基づいて、本発明の一実施形態は、下記を含むハンドオーバデバイスを提供する:
【０１３７】
UEが第1のアクセスネットワークから第2のアクセスネットワークにハンドオーバするとき、第1のアクセスネットワークのハンドオーバサーバのアドレスを取得するように構成されたハンドオーバサーバ取得ユニット51;
【０１３８】
第1のアクセスネットワークのサービス局から第1のアクセスネットワークのハンドオーバサーバにUEの接続点をハンドオーバするように構成された接続点ハンドオーバユニット52;
【０１３９】
UEが第2のAPでネットワークアクセスを完了した後、第1のアクセスネットワークのハンドオーバサーバとトンネルを確立し、トンネルを介して第1のアクセスネットワークのハンドオーバサーバと対話し、第1のアクセスネットワークのハンドオーバサーバへの接続を実施し、第1のアクセスネットワークのアイドルモードに入るように構成されたハンドオーババック準備ユニット53;
【０１４０】
UEが第2のアクセスネットワークから第1のアクセスネットワークにハンドオーバするとき、アイドルモードを終了し、第1のアクセスネットワークに再アクセスするために第1のアクセスネットワークの宛先局への接続を実施するように構成されたハンドオーババックユニット54。
【０１４１】
第1のアクセスネットワークがWiMAXアクセスネットワークである場合、接続点ハンドオーバユニット52は、WiMAXサービス基地局がWiMAXハンドオーバサーバとハンドオーバ関連の情報を交換するように、UEがWiMAXサービス基地局にハンドオーバ要求メッセージを送ることを可能にし、WiMAXサービス基地局によって返されるハンドオーバ応答メッセージを受け取り、WiMAXサービス基地局がWiMAXハンドオーバサーバにハンドオーバ確認メッセージを送るように、UEがハンドオーバ応答メッセージに従ってWiMAXサービス基地局にハンドオーバ表示メッセージを送ることを可能にするように特に構成される。
【０１４２】
UEが第2のアクセスネットワークで動作するとき、第1のアクセスネットワークのアイドルモードを保持するために、トンネルを介してWiMAXハンドオーバサーバにメッセージを定期的に送る必要がある。
【０１４３】
したがって、ハンドオーババック準備ユニット53は、UEがアイドルモードを保持するために第1のアクセスネットワークのハンドオーバサーバと確立されたトンネルを介して第1のアクセスネットワークのハンドオーバサーバに定期的にメッセージを送ることを可能にするようにさらに構成される。
【０１４４】
ハンドオーババックユニット54は、UEが第1のアクセスネットワークの宛先局を選択し、UEと第1のアクセスネットワークのハンドオーバサーバの間のトンネルを切断し、第2のアクセスネットワークのRFをオフにし、第1のアクセスネットワークのRFをオンにし、第1のアクセスネットワークの宛先局でネットワークに再アクセスするプロセスを実施することを可能にするように特に構成される。
【０１４５】
上記のハンドオーバデバイスは、UEの機能の一部であってもよいし、UE内に置かれてもよい。
【０１４６】
本発明のこの実施形態で提供されたハンドオーバデバイスは、第1のアクセスネットワークから第2のアクセスネットワークへのハンドオーバが実施されるとき、ハンドオーバサーバ取得ユニット51を介して第1のアクセスネットワークのハンドオーバサーバのアドレスを取得する。UEが第2のアクセスネットワークにハンドオーバする前、接続点ハンドオーバユニット52は、UEの接続点を第1のアクセスネットワークのサービス局から第1のアクセスネットワークのハンドオーバサーバにハンドオーバする。したがって、UEが第2のアクセスネットワークにハンドオーバするとき、第1のアクセスネットワークは、UEのコンテキスト情報を依然として保持する。UEが第2のアクセスネットワークから第1のアクセスネットワークにハンドオーバし戻すよう求められるとき、ハンドオーババック準備ユニット53は、第1のアクセスネットワークのハンドオーバサーバとトンネルを直接確立し、トンネルを介して第1のアクセスネットワークのハンドオーバサーバと対話し、第1のアクセスネットワークのハンドオーバサーバへの接続を実施し、第1のアクセスネットワークのアイドルモードに入ってよい。次いで、ハンドオーババックユニット54は、アイドルモードを終了し、第1のアクセスネットワークに再アクセスするために第1のアクセスネットワークの宛先局への接続を実施する。従来技術と比べて、第1のアクセスネットワークの事前認証および鍵配布などのプロセスを再び実施する必要はなく、ステップが減少し、したがって、第1のアクセスネットワークから第2のアクセスネットワークにハンドオーバした後、単一RFハンドオーバモードのマルチモードUEは、元の第1のアクセスネットワークに迅速にハンドオーバし戻すことができる。
【０１４７】
図6を参照すると、図3、および図4A、4Bに示されたハンドオーバ方法の諸実施形態に基づいて、本発明の一実施形態が、下記を含む別のハンドオーバデバイスを提供している:
【０１４８】
UEが第1のアクセスネットワークから第2のアクセスネットワークにハンドオーバする前またはその後に、第1のアクセスネットワークのハンドオーバサーバのアドレスを取得するように構成されたハンドオーバサーバIPアドレス取得ユニット61;
【０１４９】
UEが第1のアクセスネットワークから第2のアクセスネットワークにハンドオーバした後、第1のアクセスネットワークのハンドオーバサーバとトンネルを確立し、トンネルを介して第1のアクセスネットワークのハンドオーバサーバから第1のアクセスネットワークに再アクセスし、第1のアクセスネットワークをトリガして第1のアクセスネットワークのサービス局から第1のアクセスネットワークのハンドオーバサーバにUEの接続点をハンドオーバさせるように構成された再アクセスハンドオーバユニット62;
【０１５０】
UEがトンネルを介した第1のアクセスネットワークのサービス局から第1のアクセスネットワークのハンドオーバサーバへのハンドオーバを完了した後、トンネルを介して第1のアクセスネットワークのハンドオーバサーバと対話し、第1のアクセスネットワークのアイドルモードに入るように構成されたアイドルモード制御ユニット63;
【０１５１】
UEが第2のアクセスネットワークから第1のアクセスネットワークにハンドオーバし戻すとき、アイドルモードを終了し、第1のアクセスネットワークに再アクセスするために第1のアクセスネットワークの宛先局への接続を実施するように構成されたハンドオーババックユニット64。
【０１５２】
第1のアクセスネットワークがWiMAXアクセスネットワークである場合、再アクセスハンドオーバユニット62によってトンネルを介して第1のアクセスネットワークのハンドオーバサーバから第1のアクセスネットワークにアクセスするようになり、第1のアクセスネットワークをトリガして、第1のアクセスネットワークのサービス局から第1のアクセスネットワークのハンドオーバサーバにUEの接続点をハンドオーバさせるステップが、具体的には下記を含む:
【０１５３】
第1のアクセスネットワークのハンドオーバサーバにレンジング要求メッセージを送るステップであって、レンジング要求メッセージが、機器のサービス局の識別情報を含む、ステップ;
【０１５４】
第1のアクセスネットワークのハンドオーバサーバによって送られたレンジング応答メッセージを受け取るステップ。
【０１５５】
UEが第2のアクセスネットワークで動作するとき、第1のアクセスネットワークのアイドルモードを保持するために、トンネルを介して第1のアクセスネットワークのハンドオーバサーバにメッセージを定期的に送る必要がある。
【０１５６】
したがって、アイドルモード制御ユニット63は、アイドルモードを保持するために第1のアクセスネットワークのハンドオーバサーバと確立されたトンネルを介して第1のアクセスネットワークのハンドオーバサーバに定期的にメッセージを送るようにさらに構成される。
【０１５７】
ハンドオーババックユニット64は、第1のアクセスネットワークの宛先局を選択し、第1のアクセスネットワークのUEとハンドオーバサーバの間のトンネルを切断し、第2のアクセスネットワークのRFをオフにし、第1のアクセスネットワークのRFをオンにし、第1のアクセスネットワークの宛先局でネットワークに再アクセスするプロセスを実施するように特に構成されてよい。
【０１５８】
上記のハンドオーバデバイスは、UEの機能の一部であってもよいし、UE内に置かれてもよい。
【０１５９】
本発明のこの実施形態で提供されたハンドオーバデバイスは、第1のアクセスネットワークから第2のアクセスネットワークへのハンドオーバの前または後に、ハンドオーバサーバ取得ユニット61を介して第1のアクセスネットワークのハンドオーバサーバのIPアドレスを取得する。UEが第2のアクセスネットワークにハンドオーバした後、再アクセスハンドオーバユニット62は、UEと第1のアクセスネットワークのハンドオーバサーバの間のトンネルを確立し、トンネルを介して第1のアクセスネットワークに再アクセスし、第1のアクセスネットワークのサービス局から第1のアクセスネットワークのハンドオーバサーバにUEの接続点をハンドオーバする。次いで、アイドルモード制御装置63は、第1のアクセスネットワークのハンドオーバサーバと対話し、第1のアクセスネットワークのアイドルモードに入る。ハンドオーババックユニット64は、アイドルモードを終了し、第1のアクセスネットワークに再アクセスするために第1のアクセスネットワークの宛先局への接続を実施する。従来技術と比べて、第1のアクセスネットワークの事前認証および鍵配布などのプロセスを再び実施する必要はなく、ステップが減少し、したがって、第1のアクセスネットワークから第2のアクセスネットワークにハンドオーバした後、単一RFハンドオーバモードのマルチモードUEは、元の第1のアクセスネットワークに迅速にハンドオーバし戻すことができる。
【０１６０】
図9に示されたように、本発明による第3のハンドオーバデバイスの一実施形態は、下記のユニットを含む:
【０１６１】
UEが第1のアクセスネットワークから第2のアクセスネットワークにハンドオーバするとき、UEの第1のアクセスネットワークのサービス局を現在のサービス局から第1のアクセスネットワークのハンドオーバサーバにハンドオーバするように構成されたサーバハンドオーバユニット91;
【０１６２】
第1のアクセスネットワーク内でハンドオーバサーバからUEの宛先局へのハンドオーバが実施されるように、UEが第2のアクセスネットワークから第1のアクセスネットワークにハンドオーバし戻す前に、第2のアクセスネットワーク内のトンネルを介して第1のアクセスネットワークのハンドオーバサーバと対話するように構成された対話ユニット92;
【０１６３】
UEが第1のアクセスネットワークの宛先局への接続を実施し、第1のアクセスネットワークのハンドオーバサーバから宛先局へのハンドオーバを完了することを可能にするように構成された接続ユニット93。
【０１６４】
図9に示されたように、ハンドオーバデバイスは、下記をさらに含んでよい:
【０１６５】
第1のアクセスネットワーク内でUEのネットワーク化された状態を保持するためにトンネルを介して第1のアクセスネットワークのハンドオーバサーバに定期的または不定期にメッセージを送るように構成された送信ユニット94。
【０１６６】
上記ユニットの実装形態は、上記方法についての説明に既に述べられており、本明細書では再び述べられない。
【０１６７】
本発明の実施形態によれば、第1のアクセスネットワークから第2のアクセスネットワークへのUEのハンドオーバの間、UEの第1のアクセスネットワークのサービス局は、現在のサービス局から第1のアクセスネットワークのハンドオーバサーバにハンドオーバされる。第2のアクセスネットワークから第1のアクセスネットワークにハンドオーバし戻す前に、UEは、トンネルを介して第1のアクセスネットワークのハンドオーバサーバと対話し、第1のアクセスネットワーク内で、ハンドオーバサーバからUEの宛先局へのハンドオーバを実施する。UEは、第1のアクセスネットワークの宛先局への接続を実施し、第1のアクセスネットワークのハンドオーバサーバから宛先局へのハンドオーバを完了する。したがって、UEが第2のアクセスネットワークにハンドオーバするとき、第1のアクセスネットワークは、UEのコンテキスト情報を依然として保持する。第2のアクセスネットワークから第1のアクセスネットワークにハンドオーバし戻すよう求められるとき、UEは、トンネルを介して第1のアクセスネットワークのハンドオーバサーバから宛先局にハンドオーバし、それによって、第1のアクセスネットワークにハンドオーバし戻すプロセスを完了する。従来技術と比べて、第1のアクセスネットワークの事前認証および鍵配布などのプロセスを再び実施する必要はなく、ステップが減少し、したがって、第1のアクセスネットワークから第2のアクセスネットワークにハンドオーバした後、単一RFハンドオーバモードのマルチモードUEは、元の第1のアクセスネットワークに迅速にハンドオーバし戻すことができる。
【０１６８】
本発明の諸実施形態を参照して述べられた例示的な例および実装ステップのそれぞれにおけるユニットは、電子ハードウェア、コンピュータソフトウェア、または電子ハードウェアとコンピュータソフトウェアの組合せによって実装できることが当業者には認識されよう。ハードウェアとソフトウェアの交換可能性について明確に述べるために、上記では一般に、機能に従って各例の構成およびステップを示している。諸機能がハードウェアで実装されるか、それともソフトウェアで実装されるかは、技術的解決策の特定の適用例および設計上の制約に依存する。それぞれの特定の適用例について、当業者は、述べられた機能を実施する様々な方法を使用できるが、実装形態は、本発明の範囲を超えないことを理解されたい。
【０１６９】
本発明の実施形態による諸方法のステップは、ハードウェア、プロセッサによって実行されたソフトウェアモジュール、またはハードウェアとプロセッサによって実行されたソフトウェアモジュールの組合せで実施されてよい。ソフトウェアモジュールは、ランダムアクセスメモリ(RAM: Random Access Memory)、メモリ、読取り専用メモリ(ROM: Read-Only Memory)、コンピュータプログラマブルROM、コンピュータ消去可能プログラマブルROM、レジスタ、ハードディスク、移動可能ハードディスク、コンパクトディスク(CD: Compact Disc)-ROMまたは他の任意の記憶媒体に置かれてよい。
【０１７０】
上記の特定の実施形態は、本発明を限定するためのものではない。本発明の原理から逸脱しないどんな修正、等価な置換、および改良も、本発明の保護範囲に含まれるものとする。
【符号の説明】
【０１７１】
51  ハンドオーバサーバ取得ユニット
52  接続点ハンドオーバユニット
53  ハンドオーババック準備ユニット
54  ハンドオーババックユニット
61  ハンドオーバサーバIPアドレス取得ユニット/ハンドオーバサーバ取得ユニット
62  再アクセスハンドオーバユニット
63  アイドルモード制御ユニット
64  ハンドオーババックユニット
91  サーバハンドオーバユニット
92  対話ユニット
93  接続ユニット
94  送信ユニット
【図１】
2013503522.tif 000003
【図２Ａ】
2013503522.tif 000004
【図２Ｂ】
2013503522.tif 000005
【図３】
2013503522.tif 000006
【図４Ａ】
2013503522.tif 000007
【図４Ｂ】
2013503522.tif 000008
【図５】
2013503522.tif 000009
【図６】
2013503522.tif 000010
【図７】
2013503522.tif 000011
【図８】
2013503522.tif 000012
【図９】
2013503522.tif 000013
【手続補正書】
【提出日】平成24年5月2日(2012.5.2)
【手続補正１】
【補正対象書類名】特許請求の範囲
【補正対象項目名】全文
【補正方法】変更
【補正の内容】
【特許請求の範囲】
【請求項１】
ユーザ機器によって、第1のアクセスネットワークのハンドオーバサーバのIPアドレスを取得するステップと、
第2のアクセスネットワークにハンドオーバした後、前記ユーザ機器によって、前記第1のアクセスネットワークの前記ハンドオーバサーバとIPトンネルを確立し、前記トンネルを介して前記第1のアクセスネットワークの前記ハンドオーバサーバと対話し、前記第1のアクセスネットワーク内で、前記ユーザ機器のサービス局から前記ハンドオーバサーバへのハンドオーバを実施するステップと、
前記ユーザ機器によって、前記トンネルを介して前記ハンドオーバサーバから前記第1のアクセスネットワークのアイドルモードに入るステップと、
前記ユーザ機器によって、前記第2のアクセスネットワークから前記第1のアクセスネットワークにハンドオーバし戻すとき、前記アイドルモードを終了し、前記第1のアクセスネットワークに再アクセスするために、前記第1のアクセスネットワークの宛先局への接続を実施するステップと
を備えるハンドオーバ方法。
【請求項２】
前記第1のアクセスネットワークがWiMAXアクセスネットワークである場合、前記トンネルを介して前記第1のアクセスネットワークの前記ハンドオーバサーバと対話し、前記第1のアクセスネットワーク内で、前記ユーザ機器の前記サービス局から前記ハンドオーバサーバへの前記ハンドオーバを実施する前記ステップが、
前記ユーザ機器によって、前記トンネルを介して前記第1のアクセスネットワークの前記ハンドオーバサーバにレンジング要求メッセージを送るステップであって、前記レンジング要求メッセージが、前記ユーザ機器の前記サービス局の識別情報を備える、ステップと、
前記第1のアクセスネットワークの前記ハンドオーバサーバによって、前記レンジング要求を受け取った後、少なくとも前記ユーザ機器の前記サービス局から前記ユーザ機器のコンテキスト情報を取得し、前記ユーザ機器のデータ経路を確立するステップと、
前記第1のアクセスネットワークの前記ハンドオーバサーバによって、レンジング応答メッセージを前記ユーザ機器に送るステップと、
前記第1のアクセスネットワークの前記ハンドオーバサーバによって、前記ユーザ機器の前記サービス局と対話して、前記ハンドオーバの完了を確認するステップとを備える、請求項1に記載のハンドオーバ方法。
【請求項３】
前記ユーザ機器によって、前記トンネルを介して前記ハンドオーバサーバから前記第1のアクセスネットワークの前記アイドルモードに入る前記ステップの後、
前記ユーザ機器によって、前記アイドルモードを保持するために前記トンネルを介して前記第1のアクセスネットワークの前記ハンドオーバサーバにメッセージを定期的に送るステップをさらに備える、請求項1または2に記載のハンドオーバ方法。
【請求項４】
前記第1のアクセスネットワークの前記ハンドオーバサーバの前記IPアドレスを取得する前記ステップが、
前記ユーザ機器が前記第1のアクセスネットワークから前記第2のアクセスネットワークにハンドオーバする前に、前記第1のアクセスネットワークの前記ハンドオーバサーバの前記IPアドレスを取得するステップと、
前記ユーザ機器が前記第1のアクセスネットワークから前記第2のアクセスネットワークにハンドオーバした後、前記第1のアクセスネットワークの前記ハンドオーバサーバの前記IPアドレスを取得するステップとを備える、請求項1から3のいずれか一項に記載のハンドオーバ方法。
【請求項５】
前記第1のアクセスネットワークがマイクロ波アクセス世界的相互運用(WiMAX)アクセスネットワークである場合、および前記ユーザ機器が前記第2のアクセスネットワークから前記第1のアクセスネットワークにハンドオーバし戻す場合、前記ユーザ機器によって、前記アイドルモードを終了し、前記第1のアクセスネットワークに再アクセスするために、前記第1のアクセスネットワークの前記宛先局への接続を実施する前記ステップが、
前記ユーザ機器によって、前記第1のアクセスネットワークの前記宛先局を選択するステップと、前記ユーザ機器と前記第1のアクセスネットワークの前記ハンドオーバサーバの間の前記トンネルを切断するステップと、前記第2のアクセスネットワークの無線周波数をオフにし、前記第1のアクセスネットワークの無線周波数をオンにするステップと、前記アイドルモードを終了するために、前記第1のアクセスネットワークの前記宛先局でレンジングプロセスを実施するステップとを備える、請求項1から4のいずれか一項に記載のハンドオーバ方法。
【請求項６】
ユーザ機器が第1のアクセスネットワークから第2のアクセスネットワークにハンドオーバするとき、前記第1のアクセスネットワークのハンドオーバサーバのアドレスを取得するステップと、
前記第1のアクセスネットワークのサービス局から前記第1のアクセスネットワークの前記ハンドオーバサーバに前記ユーザ機器の接続点をハンドオーバするステップと、
前記ユーザ機器によって、前記第2のアクセスネットワーク内のネットワークアクセスを完了した後、前記第1のアクセスネットワークの前記ハンドオーバサーバとトンネルを確立し、前記トンネルを介して前記第1のアクセスネットワークの前記ハンドオーバサーバと対話し、前記第1のアクセスネットワークの前記ハンドオーバサーバへの接続を実施し、前記第1のアクセスネットワークのアイドルモードに入るステップと、
前記ユーザ機器によって、前記第2のアクセスネットワークから前記第1のアクセスネットワークにハンドオーバし戻すとき、前記アイドルモードを終了し、前記第1のアクセスネットワークに再アクセスするために前記第1のアクセスネットワークの宛先局への接続を実施するステップと
を備えるハンドオーバ方法。
【請求項７】
前記第1のアクセスネットワークの前記ハンドオーバサーバの前記アドレスを取得する前記ステップが、
前記ユーザ機器によって前記第1のアクセスネットワークの前記ハンドオーバサーバの前記アドレスを、動的ホスト構成プロトコル(DHCP)によって、ドメイン名システム(DNS)の解決によって、前記ネットワークに最初にアクセスするときのインターネットプロトコル(IP)アドレスの要求中に、または専用の情報サーバに問い合わせることによって取得するステップを備える、請求項6に記載のハンドオーバ方法。
【請求項８】
前記第1のアクセスネットワークがマイクロ波アクセス世界的相互運用(WiMAX)アクセスネットワークである場合は、前記第1のアクセスネットワークのサービス局から前記第1のアクセスネットワークの前記ハンドオーバサーバに前記ユーザ機器の前記接続点をハンドオーバする前記ステップが、
前記第1のアクセスネットワークの前記サービス局が前記第1のアクセスネットワークの前記ハンドオーバサーバとハンドオーバ関連の情報を交換するように、前記ユーザ機器によって、前記第1のアクセスネットワークの前記サービス局にハンドオーバ要求メッセージを送るステップと、
前記ユーザ機器によって、前記第1のアクセスネットワークの前記サービス局を介して、前記第1のアクセスネットワークの前記サービス局によって返されたハンドオーバ要求メッセージを受け取るステップと、
前記第1のアクセスネットワークの前記サービス局が前記第1のアクセスネットワークの前記ハンドオーバサーバにハンドオーバ確認メッセージを送るように、前記ユーザ機器によって、前記ハンドオーバ応答メッセージに従って前記第1のアクセスネットワークの前記サービス局にハンドオーバ表示メッセージを送るステップとを備える、請求項6に記載のハンドオーバ方法。
【請求項９】
前記ユーザ機器によって、前記第1のアクセスネットワークの前記ハンドオーバサーバと前記トンネルを確立し、前記トンネルを介して前記第1のアクセスネットワークの前記ハンドオーバサーバと対話し、前記第1のアクセスネットワークの前記ハンドオーバサーバへの接続を実施し、前記第1のアクセスネットワークの前記アイドルモードに入る前記ステップの後、
前記ユーザ機器によって、前記アイドルモードを保持するために前記トンネルを介して前記第1のアクセスネットワークの前記ハンドオーバサーバにメッセージを定期的に送るステップをさらに備える、請求項6に記載のハンドオーバ方法。
【請求項１０】
前記第1のアクセスネットワークがWiMAXアクセスネットワークであり、前記ユーザ機器が前記第2のアクセスネットワークから前記第1のアクセスネットワークにハンドオーバし戻すとき、前記ユーザ機器によって、前記アイドルモードを終了し、前記第1のアクセスネットワークに再アクセスするために前記第1のアクセスネットワークの前記宛先局への接続を実施する前記ステップが、
前記ユーザ機器によって、前記第1のアクセスネットワークの前記宛先局を選択するステップと、前記ユーザ機器と前記第1のアクセスネットワークの前記ハンドオーバサーバの間の前記トンネルを切断するステップと、前記第2のアクセスネットワークの無線周波数をオフにし、前記第1のアクセスネットワークの無線周波数をオンにするステップと、前記アイドルモードを終了するために、前記第1のアクセスネットワークの前記宛先局でレンジングプロセスを実施するステップとを備える、請求項6に記載のハンドオーバ方法。
【請求項１１】
ユーザ機器が第1のアクセスネットワークから第2のアクセスネットワークにハンドオーバする前またはその後に、前記第1のアクセスネットワークのハンドオーバサーバのIPアドレスを取得するように構成されたハンドオーバサーバIPアドレス取得ユニットと、
前記ユーザ機器が前記第1のアクセスネットワークから前記第2のアクセスネットワークにハンドオーバした後、前記第1のアクセスネットワークの前記ハンドオーバサーバとIPトンネルを確立し、前記トンネルを介して前記第1のアクセスネットワークの前記ハンドオーバサーバから前記第1のアクセスネットワークに再アクセスし、前記第1のアクセスネットワークをトリガして前記第1のアクセスネットワークのサービス局から前記第1のアクセスネットワークの前記ハンドオーバサーバに前記ユーザ機器の接続点をハンドオーバさせるように構成された再アクセスハンドオーバユニットと、
前記ユーザ機器が前記トンネルを介した前記第1のアクセスネットワークの前記サービス局から前記第1のアクセスネットワークの前記ハンドオーバサーバへの前記ハンドオーバを完了した後、前記トンネルを介して前記第1のアクセスネットワークの前記ハンドオーバサーバと対話し、前記第1のアクセスネットワークのアイドルモードに入るように構成されたアイドルモード制御ユニットと、
前記ユーザ機器が前記第2のアクセスネットワークから前記第1のアクセスネットワークにハンドオーバし戻すとき、前記アイドルモードを終了し、前記第1のアクセスネットワークに再アクセスするために前記第1のアクセスネットワークの宛先局への接続を実施するように構成されたハンドオーババックユニットと
を備えるハンドオーバデバイス。
【請求項１２】
前記第1のアクセスネットワークがマイクロ波アクセス世界的相互運用(WiMAX)アクセスネットワークである場合、前記再アクセスハンドオーバユニットが、前記第1のアクセスネットワークの前記ハンドオーバサーバをトリガして前記ユーザ機器の前記サービス局から前記ハンドオーバサーバに前記ユーザ機器をハンドオーバさせるために前記第1のアクセスネットワークの前記サーバにレンジングメッセージを送り、前記第1のアクセスネットワークの前記ハンドオーバサーバからレンジング応答メッセージを受け取るように特に構成される、請求項11に記載のハンドオーバデバイス。
【請求項１３】
前記アイドルモード制御ユニットが、前記アイドルモードを保持するために前記第1のアクセスネットワークの前記ハンドオーバサーバと確立された前記トンネルを介して前記第1のアクセスネットワークの前記ハンドオーバサーバに定期的にメッセージを送るようにさらに構成される、請求項11または12に記載のハンドオーバデバイス。
【請求項１４】
前記ハンドオーババックユニットが、前記ユーザ機器が前記第1のアクセスネットワークの前記宛先局を選択し、前記ユーザ機器と前記第1のアクセスネットワークの前記ハンドオーバサーバの間の前記トンネルを切断し、前記第2のアクセスネットワークの無線周波数をオフにし、前記第1のアクセスネットワークの無線周波数をオンにし、前記アイドルモードを終了するために、前記第1のアクセスネットワークの前記宛先局でレンジングプロセスを実施することを可能にするように特に構成される、請求項11から13のいずれか一項に記載のハンドオーバデバイス。
【請求項１５】
前記ハンドオーバデバイスが前記ユーザ機器内に置かれる、請求項11から14のいずれか一項に記載のハンドオーバデバイス。
【請求項１６】
ユーザ機器が第1のアクセスネットワークから第2のアクセスネットワークにハンドオーバするとき、前記第1のアクセスネットワークのハンドオーバサーバのアドレスを取得するように構成されたハンドオーバサーバ取得ユニットと、
前記第1のアクセスネットワークのサービス局から前記第1のアクセスネットワークの前記ハンドオーバサーバに前記ユーザ機器の接続点をハンドオーバするように構成された接続点ハンドオーバユニットと、
前記ユーザ機器が第2のアクセスポイントでネットワークアクセスを完了した後、前記第1のアクセスネットワークの前記ハンドオーバサーバとトンネルを確立し、前記トンネルを介して前記第1のアクセスネットワークの前記ハンドオーバサーバと対話し、前記第1のアクセスネットワークの前記ハンドオーバサーバへの接続を実施し、前記第1のアクセスネットワークのアイドルモードに入るように構成されたハンドオーババック準備ユニットと、
前記ユーザ機器が前記第2のアクセスネットワークから前記第1のアクセスネットワークにハンドオーバし戻すとき、前記アイドルモードを終了し、前記第1のアクセスネットワークに再アクセスするために前記第1のアクセスネットワークの宛先局への接続を実施するように構成されたハンドオーババックユニットと
を備えるハンドオーバデバイス。
【請求項１７】
前記第1のアクセスネットワークがマイクロ波アクセス世界的相互運用(WiMAX)アクセスネットワークであり、前記接続点ハンドオーバユニットが、前記第1のアクセスネットワークの前記サービス局が前記第1のアクセスネットワークの前記ハンドオーバサーバとハンドオーバ関連情報を交換するように前記ユーザ機器が前記第1のアクセスネットワークの前記サービス局にハンドオーバ要求メッセージを送り、前記第1のアクセスネットワークの前記サービス局を介して、前記第1のアクセスネットワークの前記サービス局によって返されたハンドオーバ要求メッセージを受け取り、前記第1のアクセスネットワークの前記サービス局が前記第1のアクセスネットワークの前記ハンドオーバサーバにハンドオーバ確認メッセージを送るように前記ハンドオーバ応答メッセージに従って前記第1のアクセスネットワークの前記サービス局にハンドオーバ表示メッセージを送ることを可能にするように特に構成される、請求項16に記載のハンドオーバデバイス。
【請求項１８】
前記ハンドオーババック準備ユニットが、前記アイドルモードを保持するために第1のアクセスネットワークのハンドオーバサーバと確立された前記トンネルを介して前記ユーザ機器が前記第1のアクセスネットワークの前記ハンドオーバサーバに定期的にメッセージを送ることを可能にするようにさらに構成される、請求項16に記載のハンドオーバデバイス。
【請求項１９】
前記ハンドオーババックユニットが、前記ユーザ機器が前記第1のアクセスネットワークの前記宛先局を選択し、前記ユーザ機器と前記第1のアクセスネットワークの前記ハンドオーバサーバの間の前記トンネルを切断し、前記第2のアクセスネットワークの無線周波数をオフにし、前記第1のアクセスネットワークの無線周波数をオンにし、前記アイドルモードを終了するために、第1のアクセスネットワークの前記宛先局でレンジングプロセスを実施することを可能にするように特に構成される、請求項16に記載のハンドオーバデバイス。
【請求項２０】
前記ハンドオーバデバイスが前記ユーザ機器内に置かれる、請求項16から19のいずれか一項に記載のハンドオーバデバイス。
【請求項２１】
ユーザ機器が第1のアクセスネットワークから第2のアクセスネットワークにハンドオーバするとき、前記ユーザ機器の前記第1のアクセスネットワークのサービス局を現在のサービス局から前記第1のアクセスネットワークのハンドオーバサーバにハンドオーバするステップと、
前記ユーザ機器が前記第2のアクセスネットワークから前記第1のアクセスネットワークにハンドオーバし戻す前に、前記第1のアクセスネットワーク内で前記ハンドオーバサーバから前記ユーザ機器の宛先局へのハンドオーバを実施するために、前記第2のアクセスネットワーク内のトンネルを介して前記第1のアクセスネットワークの前記ハンドオーバサーバと対話するステップと、
前記ユーザ機器によって、前記第1のアクセスネットワークの前記宛先局への接続を実施し、前記第1のアクセスネットワークの前記ハンドオーバサーバから前記宛先局への前記ハンドオーバを完了するステップと
を備えるハンドオーバ方法。
【請求項２２】
前記ユーザ機器が前記第2のアクセスネットワークから前記第1のアクセスネットワークにハンドオーバし戻す前に、
前記ユーザ機器によって、第1のアクセスネットワーク内で前記ユーザ機器のネットワーク化された状態を保持するために前記トンネルを介して前記第1のアクセスネットワークの前記ハンドオーバサーバに定期的または不定期にメッセージを送るステップをさらに備える、請求項21に記載のハンドオーバ方法。
【請求項２３】
前記ユーザ機器の前記第1のアクセスネットワークの前記サービス局を前記現在のサービス局から前記第1のアクセスネットワークの前記ハンドオーバサーバにハンドオーバする前記ステップの後に、
タイマが終了する前に前記ユーザ機器のネットワーク化された状態が保持されるように、前記第1のアクセスネットワークによって前記タイマを開始するステップをさらに備える、請求項21に記載のハンドオーバ方法。
【請求項２４】
ユーザ機器が第1のアクセスネットワークから第2のアクセスネットワークにハンドオーバするとき、前記ユーザ機器の前記第1のアクセスネットワークのサービス局を現在のサービス局から前記第1のアクセスネットワークのハンドオーバサーバにハンドオーバするように構成されたサーバハンドオーバユニットと、
前記第1のアクセスネットワーク内で前記ハンドオーバサーバから前記ユーザ機器の宛先局へのハンドオーバが実施されるように、前記ユーザ機器が前記第2のアクセスネットワークから前記第1のアクセスネットワークにハンドオーバし戻す前に、前記第2のアクセスネットワーク内のトンネルを介して前記第1のアクセスネットワークの前記ハンドオーバサーバと対話するように構成された対話ユニットと、
前記ユーザ機器が前記第1のアクセスネットワークの宛先局への接続を実施し、前記第1のアクセスネットワークの前記ハンドオーバサーバから前記宛先局への前記ハンドオーバを完了することを可能にするように構成された接続ユニットと
を備えるハンドオーバデバイス。
【請求項２５】
前記第1のアクセスネットワーク内で前記ユーザ機器のネットワーク化された状態を保持するために前記トンネルを介して前記第1のアクセスネットワークの前記ハンドオーバサーバに定期的または不定期にメッセージを送るように構成された送信ユニット
をさらに備える、請求項24に記載のハンドオーバデバイス。
【国際調査報告】
2013503522.tif 000014
2013503522.tif 000015
2013503522.tif 000016
2013503522.tif 000017